(57)【特許請求の範囲】
【請求項１】
第１のノードにおいて、第２のノードの状態を示す情報を受信することと、なお、前記第２のノードは前記第１のノードへのアクセスが許可されている；
前記第１のノードへのアクセスが許可されていないノードに対する前記第１のノードに起因する干渉を低減するために、前記情報に基づいて、前記第１のノードによる少なくとも１つの制御チャネル上での制御情報の放送を不能にするかどうかを決定することと；
を備える通信方法。
【請求項２】
前記状態は、前記第２のノードが前記第１のノードとの交信を試みるかどうかを示す、請求項１に記載の方法。
【請求項３】
前記状態は、前記第２のノードが最近電源を投入されたことと、前記第２のノードが電源を切断されるだろうことと、前記第２のノードで使用されるキャリア周波数と、前記第２のノードが登録されているかどうかということと、前記第１のノードの位置、のうちの少なくとも１つを示す、請求項１に記載の方法。
【請求項４】
前記状態は、前記第２のノードの位置を示す、請求項１に記載の方法。
【請求項５】
前記情報は、前記第１及び第２のノードの相対的近接度を示すか；
前記情報は、前記第２のノードが登録されているゾーンもしくはセルを示すか；
前記情報は、前記第２のノードからの測定報告を含むか；
または、前記情報は、前記第２のノードが前記第１のノードから信号を受信中であるかどうかを示す、
請求項４に記載の方法。
【請求項６】
前記第１及び第２のノードとは異なる少なくとも１つの他のノードが、前記第１のノードにアクセスすることが許可され；
前記決定は、前記少なくとも１つの他のノードの少なくとも１つの状態を示す情報にさらに基づく、
請求項１に記載の方法。
【請求項７】
前記情報は、ネットワーク移動管理者または前記第２のノードから受信される、請求項１に記載の方法。
【請求項８】
前記少なくとも１つの制御チャネルは、オーバヘッドチャネルと、ページングチャネルと、捕捉チャネル、のうちの少なくとも１つを備える、請求項１に記載の方法。
【請求項９】
前記第１のノードは、前記第１のノードとは異なる少なくとも１つの他のノードに対して、通知信号と、データアクセスと、登録と、サービス、のうちの少なくとも１つを提供しないように制約される、請求項１に記載の方法。
【請求項１０】
第１のノードにおいて、第２のノードの状態を示す情報を受信するように構成された通信制御器と、なお、前記第２のノードは前記第１のノードへのアクセスが許可されている；
前記第１のノードへのアクセスが許可されていないノードに対する前記第１のノードに起因する干渉を低減するために、前記情報に基づいて、前記第１のノードによる少なくとも１つの制御チャネル上での制御情報の放送を不能にするかどうかを決定するように構成された状態プロセッサと；
を備える通信用装置。
【請求項１１】
前記状態は、前記第２のノードが前記第１のノードとの交信を試みるかどうかを示す、請求項１０に記載の装置。
【請求項１２】
前記状態は、前記第２のノードが最近電源を投入されたことと、前記第２のノードが電源を切断されるだろうことと、前記第２のノードで使用されるキャリア周波数と、前記第２のノードが登録されているかどうかということと、前記第１のノードの位置、のうちの少なくとも１つを示す、請求項１０に記載の方法。
【請求項１３】
前記情報は、前記第１及び第２のノードの相対的近接度を示すか；
前記情報は、前記第２のノードが登録されているゾーンもしくはセルを示すか；
前記情報は、前記第２のノードからの測定報告を含むか；
または、前記情報は、前記第２のノードが前記第１のノードから信号を受信中であるかどうかを示す、
請求項１０に記載の装置。
【請求項１４】
前記第１及び第２のノードとは異なる少なくとも１つの他のノードが、前記第１のノードにアクセスすることが許可され；
前記決定は、前記少なくとも１つの他のノードの少なくとも１つの状態を示す情報にさらに基づく、
請求項１０に記載の装置。
【請求項１５】
第１のノードにおいて、第２のノードの状態を示す情報を受信するための手段と、なお、前記第２のノードは前記第１のノードへのアクセスが許可されている；
前記第１のノードへのアクセスが許可されていないノードに対する前記第１のノードに起因する干渉を低減するために、前記情報に基づいて、前記第１のノードによる少なくとも１つの制御チャネル上での制御情報の放送を不能にするかどうかを決定するための手段と；
を備える通信用装置。
【請求項１６】
前記状態は、前記第２のノードが前記第１のノードとの交信を試みるかどうかを示す、請求項１５に記載の装置。
【請求項１７】
前記状態は、前記第２のノードが最近電源を投入されたことと、前記第２のノードが電源を切断されるだろうことと、前記第２のノードで使用されるキャリア周波数と、前記第２のノードが登録されているかどうかということと、前記第１のノードの位置、のうちの少なくとも１つを示す、請求項１５に記載の装置。
【請求項１８】
前記情報は、前記第１及び第２のノードの相対的近接度を示すか；
前記情報は、前記第２のノードが登録されているゾーンもしくはセルを示すか；
前記情報は、前記第２のノードからの測定報告を含むか；
または、前記情報は、前記第２のノードが前記第１のノードから信号を受信中であるかどうかを示す、
請求項１５に記載の装置。
【請求項１９】
前記第１及び第２のノードとは異なる少なくとも１つの他のノードが、前記第１のノードにアクセスすることが許可され；
前記決定は、前記少なくとも１つの他のノードの少なくとも１つの状態を示す情報にさらに基づく、
請求項１５に記載の装置。
【請求項２０】
前記情報は、ネットワーク移動管理者または前記第２のノードから受信される、請求項１５に記載の装置。
【請求項２１】
前記少なくとも１つの制御チャネルは、オーバヘッドチャネルと、ページングチャネルと、捕捉チャネル、のうちの少なくとも１つを備える、請求項１５に記載の装置。
【請求項２２】
前記第１のノードは、前記第１のノードとは異なる少なくとも１つの他のノードに対して、通知信号と、データアクセスと、登録と、サービス、のうちの少なくとも１つを提供しないように制約される、請求項１５に記載の装置。
【請求項２３】
コードを有する計算機可読記憶媒体であって、前記コードは、それが実行されたとき、計算機に、
第１のノードにおいて、第２のノードの状態を示す情報を受信させ、なお、前記第２のノードは前記第１のノードへのアクセスが許可されている；
前記第１のノードへのアクセスが許可されていないノードに対する前記第１のノードに起因する干渉を低減するために、前記情報に基づいて、前記第１のノードによる少なくとも１つの制御チャネル上での制御情報の放送を不能にするかどうかを決定させる；
計算機可読記憶媒体。
【請求項２４】
前記状態は、前記第２のノードが最近電源を投入されたことと、前記第２のノードが電源を切断されるだろうことと、前記第２のノードで使用されるキャリア周波数と、前記第２のノードが登録されているかどうかということと、前記第１のノードの位置、のうちの少なくとも１つを示す、請求項２３に記載の計算機可読記憶媒体。
【請求項２５】
第１のノードにおいて第１のノードの状態に関連する指示を決定することと、なお、前記第１のノードは第２のノードへのアクセスが許可されている；
前記第２のノードへのアクセスが許可されていないノードに対する前記第２のノードに起因する干渉を低減するために、前記第２のノードが少なくとも１つの制御チャネル上での制御情報の放送を不能にするかどうかを制御するために、前記指示を含むメッセージを送ることと；
を備える通信方法。
【請求項２６】
前記状態は、前記第１のノードが前記第２のノードとの交信を試みるかどうかを示す、請求項２５に記載の装置。
【請求項２７】
前記状態は、前記第１のノードが最近電源を投入されたことと、前記第１のノードが電源を切断されるだろうことと、前記第１のノードで使用されるキャリア周波数と、前記第１のノードが登録されているかどうかということと、前記第１のノードの位置、のうちの少なくとも１つを示す、請求項２５に記載の方法。
【請求項２８】
前記状態は、前記第１のノードの位置を示す、請求項２５に記載の方法。
【請求項２９】
前記指示は、前記第１及び第２のノードの相対的近接度を示すか；
前記指示は、前記第１のノードが登録されているゾーンもしくはセルを示すか；
前記指示は、前記第１のノードからの測定報告を含むか；
または、前記指示は、前記第１のノードが前記第２のノードから信号を受信中であるかどうかを示す、
請求項２８に記載の方法。
【請求項３０】
前記第２のノードの位置を示す情報を保持することをさらに含み、前記指示は、前記第２のノードの位置からの前記第１のノードの位置が定められた距離より大きいかまたは小さいかを示す、請求項２８に記載の方法。
【請求項３１】
前記メッセージは、前記少なくとも１つの制御チャネルで送信するために構成された無線アンテナを動作可能または動作不能のいずれかにするための前記第２のノードへの要求を含む、請求項２８に記載の方法。
【請求項３２】
前記少なくとも１つの制御チャネルは、オーバヘッドチャネルと、ページングチャネルと、捕捉チャネル、のうちの少なくとも１つを備える、請求項２５に記載の方法。
【請求項３３】
前記第２のノードは、前記第２のノードとは異なる少なくとも１つの他のノードに対して、通知信号と、データアクセスと、登録と、サービス、のうちの少なくとも１つを提供しないように制約される、請求項２５に記載の方法。
【請求項３４】
第１のノードにおいて第１のノードの状態に関する指示を決定するように構成された状態プロセッサと、なお、前記第１のノードは第２のノードへのアクセスが許可されている；
前記第２のノードへのアクセスが許可されていないノードに対する前記第２のノードに起因する干渉を低減するために、前記第２のノードが少なくとも１つの制御チャネル上での制御情報の放送を不能にするかどうかを制御するために、前記指示を含むメッセージを送るように構成された通信制御器と；
を備える通信用装置。
【請求項３５】
前記状態は、前記第１のノードが前記第２のノードとの交信を試みるかどうかを示す、請求項３４に記載の装置。
【請求項３６】
前記状態は、前記第１のノードが最近電源を投入されたことと、前記第１のノードが電源を切断されるだろうことと、前記第１のノードで使用されるキャリア周波数と、前記第１のノードが登録されているかどうかということと、前記第１のノードの位置、のうちの少なくとも１つを示す、請求項３４に記載の装置。
【請求項３７】
前記指示は、前記第１及び第２のノードの相対的近接度を示すか；
前記指示は、前記第１のノードが登録されているゾーンもしくはセルを示すか；
前記指示は、前記第１のノードからの測定報告を含むか；
または、前記指示は、前記第１のノードが前記第２のノードから信号を受信中であるかどうかを示す、
請求項３４に記載の装置。
【請求項３８】
前記第２のノードの位置を示す情報を保持するためのデータメモリーをさらに含み、前記指示は、前記第２のノードの位置からの前記第１のノードの位置が定められた距離より大きいかまたは小さいかを示す、請求項３４に記載の装置。
【請求項３９】
第１のノードにおいて第１のノードの状態に関する指示を決定するための手段と、なお、前記第１のノードは第２のノードへのアクセスが許可されている；
前記第２のノードへのアクセスが許可されていないノードに対する前記第２のノードに起因する干渉を低減するために、前記第２のノードが少なくとも１つの制御チャネル上での制御情報の放送を不能にするかどうかを制御するために、前記指示を含むメッセージを送るための手段と；
を備える通信用装置。
【請求項４０】
前記状態は、前記第１のノードが前記第２のノードとの交信を試みるかどうかを示す、請求項３９に記載の装置。
【請求項４１】
前記状態は、前記第１のノードが最近電源を投入されたことと、前記第１のノードが電源を切断されるだろうことと、前記第１のノードで使用されるキャリア周波数と、前記第１のノードが登録されているかどうかということと、前記第１のノードの位置、のうちの少なくとも１つを示す、請求項３９に記載の装置。
【請求項４２】
前記指示は、前記第１及び第２のノードの相対的近接度を示すか；
前記指示は、前記第１のノードが登録されているゾーンもしくはセルを示すか；
前記指示は、前記第１のノードからの測定報告を含むか；
または、前記指示は、前記第１のノードが前記第２のノードから信号を受信中であるかどうかを示す、
請求項３９に記載の装置。
【請求項４３】
前記第２のノードの位置を示す情報を保持するための手段をさらに含み、前記指示は、前記第２のノードの位置からの前記第１のノードの位置が定められた距離より大きいかまたは小さいかを示す、請求項３９に記載の装置。
【請求項４４】
前記メッセージは、前記少なくとも１つの制御チャネルで送信するために構成された無線アンテナを動作可能または動作不能のいずれかにするための前記第２のノードへの要求を含む、請求項３９に記載の装置。
【請求項４５】
前記少なくとも１つの制御チャネルは、オーバヘッドチャネルと、ページングチャネルと、捕捉チャネル、のうちの少なくとも１つを備える、請求項３９に記載の装置。
【請求項４６】
前記第２のノードは、前記第２のノードとは異なる少なくとも１つの他のノードに対して、通知信号と、データアクセスと、登録と、サービス、のうちの少なくとも１つを提供しないように制約される、請求項３９に記載の装置。
【請求項４７】
コードを有する計算機可読記憶媒体であって、前記コードは、それが実行されたとき、計算機に、
第１のノードにおいて第１のノードの状態に関連する指示を決定させ、なお、前記第１のノードは第２のノードへのアクセスが許可されている；
前記第２のノードへのアクセスが許可されていないノードに対する前記第２のノードに起因する干渉を低減するために、前記第２のノードが少なくとも１つの制御チャネル上での制御情報の放送を不能にするかどうかを制御するために、前記指示を含むメッセージを送らせる、
計算機可読記憶媒体。
【請求項４８】
前記状態は、前記第１のノードが最近電源を投入されたことと、前記第１のノードが電源を切断されるだろうことと、前記第１のノードで使用されるキャリア周波数と、前記第１のノードが登録されているかどうかということと、前記第１のノードの位置、のうちの少なくとも１つを示す、請求項４７に記載の計算機可読記憶媒体。
【請求項４９】
第１のノードにおいて、第２のノードの状態を決定することと、なお、前記第２のノードは第３のノードへのアクセスが許可されている；
前記第３のノードへのアクセスが許可されていないノードに対する前記第３のノードに起因する干渉を低減するために、前記決定に基づいて、前記第３のノードが少なくとも１つの制御チャネル上での制御情報の放送を不能にするかどうかを制御するためのメッセージを送ることと；
を備える通信方法。
【請求項５０】
前記状態は、前記第２のノードが前記第３のノードとの交信を試みるかどうかを示す、請求項４９に記載の方法。
【請求項５１】
前記状態は、前記第２のノードが最近電源を投入されたことと、前記第２のノードが電源を切断されるだろうことと、前記第２のノードで使用されるキャリア周波数と、前記第２のノードが登録されているかどうかということと、前記第２のノードの位置、のうちの少なくとも１つを示す、請求項４９に記載の方法。
【請求項５２】
前記状態は、前記第２のノードの位置を示す、請求項４９に記載の方法。
【請求項５３】
前記状態は、
前記第２及び第３のノードの相対的近接度か；
前記第２のノードが登録されているゾーンもしくはセルか；
前記第２のノードからの測定報告か；
または、前記第２のノードが前記第３のノードから信号を受信中であるかどうか、
に関係する、請求項５２に記載の方法。
【請求項５４】
前記決定は、
前記第３のノードに関係づけられた位置を示す情報を保持することと；
前記第２のノードの位置を決定することと；
前記第３のノードに関係づけられた位置からの前記第２のノードの位置が定められた距離より大きいかまたは小さいかを決定することと；
を備える、請求項４９に記載の方法。
【請求項５５】
前記メッセージは、前記少なくとも１つの制御チャネルで送信するために構成された無線アンテナを動作可能または動作不能のいずれかにするための前記第３のノードへの要求を備える、請求項４９に記載の方法。
【請求項５６】
前記第１、第２及び第３のノードとは異なる少なくとも１つの他のノードが、前記第３のノードにアクセスすることが許可され；
前記第１のノードは、前記少なくとも１つの他のノードの状態を決定するようにさらに構成され；
前記メッセージの送信は、前記少なくとも１つの他のノードの状態にさらに基づく、
請求項４９に記載の方法。
【請求項５７】
前記少なくとも１つの制御チャネルは、オーバヘッドチャネルと、ページングチャネルと、捕捉チャネル、のうちの少なくとも１つを備える、請求項４９に記載の方法。
【請求項５８】
前記第３のノードは、前記第３のノードとは異なる少なくとも１つの他のノードに対して、通知信号と、データアクセスと、登録と、サービス、のうちの少なくとも１つを提供しないように制約される、請求項４９に記載の方法。
【請求項５９】
第１のノードにおいて、第２のノードの状態を決定するように構成された状態制御器と、なお、前記第２のノードは第３のノードへのアクセスが許可されている；
前記第３のノードへのアクセスが許可されていないノードに対する前記第３のノードに起因する干渉を低減するために、前記決定に基づいて、前記第３のノードが少なくとも１つの制御チャネル上での制御情報の放送を不能にするかどうかを制御するためのメッセージを送るように構成された通信制御器と；
を備える通信用装置。
【請求項６０】
前記状態は、前記第２のノードが前記第３のノードとの交信を試みるかどうかを示す、請求項５９に記載の装置。
【請求項６１】
前記状態は、前記第２のノードが最近電源を投入されたこと、前記第２のノードが電源を切断されるだろうこと、前記第２のノードで使用されるキャリア周波数、または前記第２のノードが登録されているかどうかということ、および第２のノードの位置、のうちの少なくとも１つを示す、請求項５９に記載の装置。
【請求項６２】
前記状態は、
前記第２及び第３のノードの相対的近接度か；
前記第２のノードが登録されているゾーンもしくはセルか；
前記第２のノードからの測定報告か；
または、前記第２のノードが前記第３のノードから信号を受信中であるかどうか、
に関係する、請求項５９に記載の装置。
【請求項６３】
第１のノードにおいて、第２のノードの状態を決定するための手段と、なお、前記第２のノードは第３のノードへのアクセスが許可されている；
前記第３のノードへのアクセスが許可されていないノードに対する前記第３のノードに起因する干渉を低減するために、前記決定に基づいて、前記第３のノードが少なくとも１つの制御チャネル上での制御情報の放送を不能にするかどうかを制御するためのメッセージを送るための手段と；
を備える通信用装置。
【請求項６４】
前記状態は、前記第２のノードが前記第３のノードとの交信を試みるかどうかを示す、請求項６３に記載の装置。
【請求項６５】
前記状態は、前記第２のノードが最近電源を投入されたこと、前記第２のノードが電源を切断されるだろうこと、前記第２のノードで使用されるキャリア周波数、または前記第２のノードが登録されているかどうかということ、および前記第２のノードの位置、のうちの少なくとも１つを示す、請求項６３に記載の装置。
【請求項６６】
前記状態は、
前記第２及び第３のノードの相対的近接度か；
前記第２のノードが登録されているゾーンもしくはセルか；
前記第２のノードからの測定報告か；
または、前記第２のノードが第３のノードから信号を受信中であるかどうか；
に関係する、請求項６３に記載の装置。
【請求項６７】
前記決定は、
前記第３のノードに関係づけられた位置を示す情報を保持することと；
前記第２のノードの位置を決定することと；
前記第３のノードに関係づけられた位置からの前記第２のノードの位置が定められた距離より大きいかまたは小さいかを決定することと；
を含む、請求項６３に記載の装置。
【請求項６８】
前記メッセージは、前記少なくとも１つの制御チャネルで送信するために構成された無線アンテナを動作可能または動作不能のいずれかにするための前記第３のノードへの要求を備える、請求項６８に記載の装置。
【請求項６９】
前記第１、第２及び第３のノードとは異なる少なくとも１つの他のノードが、前記第３のノードにアクセスすることが許可され；
前記第１のノードは、前記少なくとも１つの他のノードの状態を決定するようにさらに構成され；
前記メッセージの送信は、前記少なくとも他の１つのノードの状態にさらに基づく、
請求項６３に記載の装置。
【請求項７０】
前記少なくとも１つの制御チャネルは、オーバヘッドチャネルと、ページングチャネルと、捕捉チャネル、のうちの少なくとも１つを備える、請求項６３に記載の装置。
【請求項７１】
コードを有する計算機可読記憶媒体であって、前記コードは、それが実行されたとき、計算機に、
第１のノードにおいて、第２のノードの状態を決定させ、なお、前記第２のノードは第３のノードへのアクセスが許可されている；
前記第３のノードへのアクセスが許可されていないノードに対する前記第３のノードに起因する干渉を低減するために、前記決定に基づいて、前記第３のノードが少なくとも１つの制御チャネル上での制御情報の放送を不能にするかどうかを制御するためのメッセージを送らせる；
計算機可読記憶媒体。
【請求項７２】
前記状態は、前記第２のノードが最近電源を投入されたことと、前記第２のノードが電源を切断されるだろうことと、前記第２のノードで使用されるキャリア周波数と、前記第２のノードが登録されているかどうかということと、前記第２のノードの位置、のうちの少なくとも１つを示す、請求項７１に記載の計算機可読記憶媒体。
【請求項７３】
前記第１のノードによる制御情報の放送は、前記第２のノードが前記第１のノードのカバレッジエリア外であることを示す前記状態情報に応答して不能とされる、請求項１に記載の方法。
【請求項７４】
制御情報の放送を不能にすることは、前記第１のノードの少なくとも１つの無線アンテナの電力を低下することを備える、請求項１に記載の方法。
【発明の詳細な説明】
【米国特許法１１９条のもとでの優先権主張】
【０００１】
本出願は、本出願人により２００７年１０月８日に出願され本出願人に譲渡された米国仮出願番号60/978,347、代理人整理番号071498P1、および２００７年１０月８日に出願され譲渡された米国仮出願番号60/978,352、代理人整理番号072409P1、に対する利益および優先権を主張し、それらの各々の開示はここに参照として組み込まれる。
【技術分野】
【０００２】
本出願は、一般に無線通信に関し、より詳細には、しかし非排他的に、通信性能および省エネルギー性の改善に関する。
【背景技術】
【０００３】
無線通信システムは、複数のユーザへ種々の形式の通信（例えば、音声、データ、マルチメディアサービス等）を提供するために広く展開される。高速、マルチメディアデータサービスに対する需要が急速に増大するにつれ、より高性能な効率的かつ頑健な通信システムを実施するための解決すべき問題がある。
【０００４】
従来の携帯電話ネットワーク基地局を補うために、移動ユニットに対してより頑健な屋内無線カバレッジを提供するための小カバレッジの基地局が展開される（例えばユーザの家庭に設置される）。そのような小カバレッジ基地局は一般にアクセスポイント基地局、ホームノードＢ、またはフェムトセルとして知られる。通常、そのような小カバレッジ基地局はＤＳＬルータまたはケーブルモデムを介してインターネットおよび携帯電話事業者のネットワークに接続される。
【０００５】
小カバレッジ基地局の無線周波数（「ＲＦ」）カバレッジは携帯電話事業者によって最適化されず、またそのような基地局の展開は臨時的であるかもしれないため、ＲＦ干渉問題が起こるかもしれない。したがって、無線ネットワークのための改良された干渉管理に対する要求がある。
【発明の概要】
【０００６】
本開示の代表的態様の概要は以下のとおりである。ここでの態様という用語へのいかなる参照も本開示の１つ以上の態様を指すことが理解されるべきである。
【０００７】
本開示は第２のノードの状態に基づいて第１のノードの送信を制御するためのいくつかの態様に関する。例えば、いくつかの態様において、アクセスポイントによる送信は、そのアクセスポイントにアクセスすることが許可されているアクセス端末の状態に基づいて動作可能または動作不能にされる（例えば起動または無効化される）。
【０００８】
いくつかの態様において、第２のノードの状態は、第２のノードが第１のノードと交信することになるかどうかを示す。例えば、ある場合には、この状態は、（例えば第１のノードの位置に関係した）第２のノードの位置、第２のノードが電源を投入されたかまたは電源が切断されることになるか、（例えば第１のノードの動作周波数と比較した）第２のノードの動作周波数、および第２のノードが現在登録されているかどうかに関係する。
【０００９】
第２のノードが第１のノードと（例えば近い将来に）交信しないことが第２のノードの状態に基づいて決定される場合、第１のノードによる送信はその状態に変化があるまで一時的に動作不能にされる。一例として、第２のノードが第１のノードのカバレッジ領域外にある場合（例えば、第１と第２のノード間の距離が指定された距離より長い場合）、第１のノードは１つ以上のチャネルで送信しないように構成される。逆に、第２のノードが第１のノードに近づく場合、第１のノードは１つのチャネルまたは複数のチャネルで送信するように構成される。
【００１０】
本開示の上記のおよび他の代表的態様は詳細な説明およびそれに続く添付された特許請求項、および付随する図面に記載される。
【図面の簡単な説明】
【００１１】
【図１】図１は、１つのノードの送信が別のノードの状態に基づいて制御される通信システムのいくつかの代表的態様の簡易化したブロック図。
【図２】図２は、１つのノードにおける送信を別のノードの状態に基づいて制御するために実行される操作のいくつかの代表的態様の流れ図。
【図３】図３は、代表的通信システムにおける構成要素のいくつかの代表的態様を示す簡易化したブロック図。
【図４】図４は、１つのアクセスポイントのアクセス端末の位置に関する情報に基づいて送信を制御するように実行される操作のいくつかの代表的態様の流れ図。
【図５】図５は、アクセスポイントにおける送信を制御するネットワークノードと連携して実行される操作のいくつかの代表的態様の流れ図。
【図６】図６は、アクセスポイントにおいてネットワークノードから受信した情報に基づいて送信を制御するように実行される操作のいくつかの代表的態様の流れ図。
【図７】図７は、アクセスポイントにおいてアクセス端末から受信した情報に基づいて送信を制御するように実行される操作のいくつかの代表的態様の流れ図。
【図８】図８は、アクセスポイントにおける送信を制御するアクセス端末と連携して実行される操作のいくつかの代表的態様の流れ図。
【図９】図９は、アクセスポイントにおいてそのアクセスポイントがメッセージへの応答を受信するかどうかに基づいて送信を制御するように実行される操作のいくつかの代表的態様の流れ図。
【図１０】図１０は、パイロット送信およびハンドイン操作と連携して実行される操作のいくつかの代表的態様の流れ図。
【図１１】図１１は、無線通信システムの簡易化した図。
【図１２】図１２は、フェムトノードを含む無線通信システムの簡易化した図。
【図１３】図１３は、無線通信のためのカバレッジ領域を示す簡易化した図。
【図１４】図１４は、通信用部品のいくつかの代表的態様の簡易化したブロック図。
【図１５】図１５は、送信電力をここに教示したノード状態に基づいて制御するように構成された装置のいくつかの代表的態様の簡易化されたブロック図。
【図１６】図１６は、送信電力をここに教示したノード状態に基づいて制御するように構成された装置のいくつかの代表的態様の簡易化されたブロック図。
【図１７】図１７は、送信電力をここに教示したノード状態に基づいて制御するように構成された装置のいくつかの代表的態様の簡易化されたブロック図。
【発明の詳細な説明】
【００１２】
一般の慣行に従って、図面に示す種々の形状は原寸に比例して描かれないかもしれない。従って、種々の形状の寸法は任意に拡大または縮小される。さらに、明瞭さのためにいくつかの図面が簡易化される。したがって、図面は特定の装置（例えば、デバイス）または方法のすべての部品を示しているわけではない。最後に、本明細書と図面を通じて同じ参照番号は同じ機能を表すために用いられる。
【００１３】
本開示の種々の態様を以下に記述する。ここの教示が広く種々の形式で具体化され、ここに開示されるいかなる特定の構造、機能、またはその双方が単に代表的であるということは明らかである。ここの教示に基づいて、当業者は、ここに開示される一つの態様がいかなる他の態様とは独立に実施されても良いこと、および２つ以上のこれらの態様が種々の方法で組み合わされても良いことを認識すべきである。例えば、ここに説明した態様を任意の数だけ用いて装置を実施しても良く、または方法を実行しても良い。さらに、ここに説明した１つ以上の態様に加えまたはそれ以外の他の構造、機能、または構造および機能を用いて、そのような装置を実施しても良く、またはそのような方法を実行しても良い。さらに、態様が請求項の少なくとも１つの要素を含んでも良い。
【００１４】
図１に代表的通信システム１００内のいくつかのノードを例示する。例示目的のために、本開示の種々の態様が１つ以上のネットワークノード、アクセスポイント、および互いに交信するアクセス端末の文脈で説明される。しかし、ここの教示が、他の用語を用いて参照される他の形式の装置または他の同様な装置に適用可能であることが認識されるべきである。
【００１５】
システム１００におけるアクセスポイント１０２および１０４は、関係する地域内に設置されるかまたはその領域内にわたって移動する１つ以上の無線端末（例えばアクセス端末１０６および／または１０８）に対して１つ以上のサービス（例えばネットワーク接続）を提供する。さらに、アクセスポイント１０２および１０４は、広域ネットワーク接続を容易にするために１つ以上のネットワークノード１１０と交信する。そのようなネットワークノードは種々の形式を取る。例えば、ネットワークノードは、移動管理者（mobility manager）、登録管理者、または他の適切なネットワークエンティティ（例えば、基幹ネットワークエンティティまたは無線アクセスネットワークエンティティ）を含む。
【００１６】
アクセスポイント１０２は、アクセスポイント１０２が１つ以上のアクセス端末の一定のセットへ一定のサービスを提供するが他のアクセス端末には提供しないいくつかの態様に制約される。例えば、アクセスポイント１０２は、（例えばアクセス端末１０８を含む）１つ以上のアクセス端末のセットに対して１つ以上のサービスを提供する１つ以上のアクセスポイントのセットに属する。しかし、この１つ以上のアクセスポイントのセットは、他のアクセス端末（例えばアクセス端末１０６）へその少なくとも１つのサービスを提供しない。同様に、少なくとも１つのアクセスポイントの他のセットは、少なくとも１つのアクセス端末の他のセットへのサービスを提供するように規定されるかもしれない。例えば、アクセス端末１０６は、他のいくつかの制約付アクセスポイントからサービスを受けることを許可されているアクセス端末のセットの部分であるかもしれない。種々の実施において、少なくとも１つのアクセスポイントのセット（例えばアクセスポイント１０２を含むセット）の各アクセスポイントは、通知信号、データアクセス、登録、またはサービスの少なくとも１つを他のアクセス端末に提供しないように制約される。そのような場合、アクセス端末１０６がアクセスポイント１０２のカバレッジエリア内にあると、アクセス端末１０６はアクセスポイント１０２から信号（例えばパイロット／ビーコン信号）を受信する。したがって、アクセス端末１０６がそのサービスアクセスポイント（例えばアクセスポイント１０４）から信号を受信しようとすると、アクセスポイント１０２からの信号がアクセス端末１０６における受信を不適当に妨害する。
【００１７】
さらに、ある場合には、アクセス端末は、アクセスポイントへのアクセスを試みる前に、（例えば非許可制約付アクセスポイントへのアクセスを試みることを避けるために）そのアクセスポイントにアクセスすることが許可されているかどうかを最初に決定する。一方、他の場合には、アクセス端末は単にその近傍で「最良」のアクセスポイントへのアクセスを試みる。後者のシナリオの例として、アクセス端末１０６がアクセスポイント１０２から受信する信号の信号強度が、アクセス端末１０６がサービスアクセスポイント１０４から受信する信号の信号強度よりも大きい場合、アクセス端末１０６は、（例えば標準的ハンドオーバ手順に従って）アクセスポイント１０４からアクセスポイント１０２へのハンドオーバを試みる。しかし、アクセス端末１０６がアクセスポイント１０２へのアクセスが許可されていないため、このハンドオーバの試みは失敗するだろう。マクロアクセスポイントのカバレッジ領域内に比較的多くの制約付アクセスポイントがある場合には、これらの制約付アクセスポイントへのアクセスが許可されていないアクセス端末は、マクロカバレッジ領域内を移動する故、繰り返し制約付アクセスポイントへのアクセスを試みる。その結果、そのようなアクセス端末はこれらの無駄なハンドオーバを試みる間に比較的大きな電池電力量を浪費する。
【００１８】
図１に例示されるように、アクセスポイント１０２は例えば上述したような問題を緩和するために、アクセスポイント１０２よる送信を制御する送信制御器１１２を含む。いくつかの態様において、送信を動作可能または動作不能にする判定は、アクセスポイント１０２をアクセスすることが許可されている１つ以上のアクセス端末（例えばアクセス端末１０８）の状態に基づく。例えば、アクセス端末１０８の現在の状態がアクセスポイント１０２と交信することにならないことを示す場合、送信制御器１１２はアクセスポイント１０２による送信を動作不能とする（例えばアクセスポイント１０２はその存在を隣接ノードに通知することを止めるだろう）。逆に、アクセス端末１０８の現在の状態がアクセスポイント１０２と交信することになることを示す場合、送信制御器１１２はアクセスポイント１０２による送信を動作可能とする（例えばアクセスポイント１０２はその存在を隣接ノードに通知するだろう）。ここでは、送信を動作可能とすることは、例えば、送信を再動作可能にすること、または送信を続けることができることを含む。以下により詳細に検討するように、状態情報は（例えば図１の矢印で示すように）種々の経路でアクセスポイント１０２へ提供される。
【００１９】
図２の流れ図と連携してシステム１００のようなシステムの代表的操作の概観について説明する。便宜上、図２の操作（またはここに検討されるまたは教示される任意の他の操作）は特定の構成要素（例えばシステム１００の構成要素および／または図３に示すようなシステム３００の構成要素）によって実行されるとして説明される。しかし、これらの操作が他の形式の部品で実行されても良く、異なる数の部品を用いて実行されても良いことが認識されるべきである。また、ここに説明する１つ以上の操作が所与の実施で用いられなくても良いことが認識されるべきである。
【００２０】
図３に、ここの教示に従って、ネットワークノード１１０（例えば移動管理者）に組み込まれるいくつかの代表的構成要素、アクセスポイント１０２、およびアクセス端末１０８を例示する。また、これらのノードの所与の１つに関して例示された構成要素がシステム１００内の他のノードにも組み込まれても良いことが認識されるべきである。例えば、いくつかの実施において、現在アクセス端末１０８にサービス中のアクセスポイント（例えば、アクセスポイント１０４）は、ここに説明したような状態関連の操作を実行する。
【００２１】
ネットワークノード１１０、アクセスポイント１０２、およびアクセス端末１０８は、相互におよび他のノードと交信するための送受信機３０２、３０４、および３０６をそれぞれ含む。送受信機３０２は信号（例えばメッセージ）を送るための送信機３０８および信号を受信するための受信機３１０を含む。送受信機３０４は信号を送信するための１つ以上の送信機３１２および信号を受信するための１つ以上の受信機３１４を含む。送受信機３０６は信号を送信するための１つ以上の送信機３１６および信号を受信するための１つ以上の受信機３１８を含む。
【００２２】
以下で検討するように、いくつかの実施において、所与のノードは、異なる技術を用いる、および／または異なる周波数で動作する複数の送受信機部品（例えば複数の無線部品）を有する。例えば、アクセス端末１０８はアクセスポイント１０４またはアクセス端末１０２とセルラ技術を介して交信する。この目的のために、アクセス端末１０８は、（例えば送信機３１６および受信機３１８のペアによって表されるような）１セットのセルラ無線部品を有し、アクセスポイント１０２は（例えば送信機３１２および受信機３１４のペアによって表されるような）１セットのセルラ無線部品を有する。さらに、アクセス端末１０８は異なる技術（例えばＷｉ−Ｆｉ）を介してアクセス端末１０２と交信する。この場合、アクセス端末１０８は、（例えば別の送信機３１６および受信機３１８のペアによって表されるような）１セットのＷｉ−Ｆｉ無線部品を有し、アクセスポイント１０２は（例えば別の送信機３１２および受信機３１４のペアによって表されるような）１セットのＷｉ−Ｆｉ無線部品を有する。代替的に、これらのノードは、所与のノードが異なるキャリア周波数で異なるノードと交信するための複数のセルラ無線部品を有しても良い。
【００２３】
アクセス端末１０８がアクセスポイント１０４によってサービスされている時、アクセスポイント１０４は、（例えばこれらのデバイス間の破線の記号によって表されるように）１つ以上の無線通信リンクを介してアクセス端末１０８と交信する。アクセス端末１０８がアクセスポイント１０２のカバレッジ領域にある時、アクセスポイント１０２は、（例えばこれらのデバイス間の破線の記号によって表されるように）１つ以上の無線通信リンクを介してアクセス端末１０８と交信する。ネットワークノード１１０はバックホールを介してアクセスポイント１０４およびアクセスポイント１０２と交信する。種々の実施において、無線または非無線（例えば電気的または光学的）リンクがこれらのノード間または他のノード間で用いられてもよいことが認識されるべきである。したがって、送受信機３０２、３０４、および３０６は無線および／または非無線通信部品を含む。
【００２４】
ネットワークノード１１０、アクセスポイント１０２、およびアクセス端末１０８はここに教示されるように、送信制御と連携して用いられる他の種々の部品を含む。例えば、ネットワークノード１１０、アクセスポイント１０２、およびアクセス端末１０８は、他のノードとの交信（例えばメッセージ／指示の送信および受信）を管理するためと、ここに教示されるような他の関連する機能を提供するためとの通信制御器３２０、３２２、および３２４をそれぞれ含む。また、アクセスポイント１０２は送受信機３０４による送信を制御するためと、およびここに教示されるような他の関連する機能を提供するためとの送信制御器３３２を含む。ネットワークノード１１０、アクセスポイント１０２、およびアクセス端末１０８の１つ以上は、状態情報を処理（例えば提供、定義または操作）するためと、電力制御関連機能を提供するためと、ここに教示されるような他の関連する機能を提供するためとの状態プロセッサ３２６、３２８、および３３０をそれぞれ含む。ネットワークノード１１０およびアクセス端末１０８の１つ以上は、送信制御操作のために、状態情報３３４および３３６をそれぞれ保持するための（例えばデータメモリーを含む）機能を含む。例示目的のために、ネットワークノード１１０およびアクセス端末１０８の両方は、状態および電力制御に関する機能を有しているとして図３に示されている。しかし、以下に説明するようにこれらの部品は、いくつかの実施において用いられないかもしれない。
【００２５】
図２にネットワークノード１１０、アクセスポイント１０２、およびアクセス端末１０８が送信制御を提供するためにどのように相互に関係するかの一例を例示する。一般に、図２で説明する１つ以上の手法は以下の図４乃至図９と連携して説明する実施で用いられる。明瞭さのために、これらの実施の説明においてはこれらの手法を再度詳細に検討しない。
【００２６】
ブロック２０２に表されるように、アクセス端末１０８（例えば状態プロセッサ３３０）および／または別のノードはアクセス端末１０８の状態を決定する。そのような操作は種々の実施において種々の場合に実行される。例えば、いくつかの実施において、状態は繰り返して（例えば周期的に）決定される。いくつかの実施において、状態に変化がある時はいつも状態報告が生成される。
【００２７】
以下にさらに詳細に説明するように、種々の実施において、アクセス端末１０８は、それ自身の状態を決定し、この情報を用いてアクセスポイント１０２による送信を制御する。または、アクセス端末１０８はその状態情報をアクセスポイント１０２へ送り、アクセスポイント１０２による送信を制御する。またはアクセス端末１０８は状態情報をネットワークノード１１０（例えば状態プロセッサ３２６）へ送る。後者の場合に、ネットワークノード１１０（例えば状態プロセッサ３２６）は状態情報を処理し、アクセスポイント１０２による送信を制御する。またはその状態情報をアクセスポイント１０２へ単に転送する。
【００２８】
いくつかの実施において、ネットワークノード１１０はアクセス端末１０８の状態を決定する。ネットワークノードは、この状態情報を用いて、アクセスポイント１０２による送信を制御する。またはこの状態情報をアクセスポイント１０２へ単に転送する。
【００２９】
アクセス端末１０８の状態はここの教示に従って種々の形式を取る。いくつかの態様において、この状態はアクセス端末１０８（例えばアクセスポイント１０２にアクセスすることが許可されているアクセス端末）がアクセスポイント１０２と交信するかどうかに関係する。例えば、そのような通信は、アクセス端末が現在アクセスポイント１０２と交信できるか、または近い将来にアクセスポイント１０２と交信するかどうかに関係する。
【００３０】
いくつかの態様において、この状態はアクセス端末１０８の位置に関係する。例えば、アクセス端末１０８がアクセスポイント１０２と交信できるほどにアクセスポイント１０２に近い場合（または、アクセス端末１０８がアクセスポイント１０２に近づきつつある場合）、アクセスポイント１０２による送信は動作可能となる。逆に、アクセス端末１０８がアクセスポイント１０２に近くない場合（または、アクセスポイント１０２から離れつつある場合）、送信は動作不能となる。位置ベースの送信制御は以下に図４と連携してさらに詳細に説明される。
【００３１】
いくつかの態様において、状態はアクセス端末１０８が電源投入されているか（例えば最近電源を投入されたか）、電源が切断されることになるかに関係する。ここでは、アクセス端末１０８が電源投入されている場合、アクセスポイント１０２による送信は動作可能にされる。逆に、アクセス端末１０８が電源切断されることになる場合、アクセスポイント１０２による送信は動作不能にされる。
【００３２】
いくつかの態様において、状態はアクセス端末１０８の動作周波数に関係する。例えば、アクセス端末１０８がアクセスポイント１０２と同じ周波数で動作している場合、アクセスポイント１０２による送信は動作可能にされる。逆にアクセス端末１０８がアクセスポイント１０２と同じ周波数で動作していない場合、アクセスポイント１０２による送信は動作不能にされる。
【００３３】
いくつかの態様において、状態はアクセス端末１０８が（例えば移動管理者に）登録されているかどうかに関係する。ここでは、アクセス端末１０８が登録されている場合、アクセスポイント１０２による送信は動作可能にされる。逆に、アクセス端末１０８が登録されていない場合、アクセスポイント１０２による送信は動作不能にされる。
【００３４】
ブロック２０４で表されるように、ブロック２０２で決定される状態に関連して指示が生成される。例えば、上述したように、ある場合には、アクセス端末１０８またはネットワークノード１１０は状態を表す指示を生成する。例えば、この指示はアクセス端末１０８の位置、または所与のカバレッジ領域（例えばアクセスポイント１０２のカバレッジ領域）内のアクセス端末１０８の存在もしくは不在を示す。代替的には、ある場合には、アクセス端末１０８またはネットワークノード１１０は、アクセスポイント１０２による送信が動作可能、または動作不能かを制御することを試みるコマンド（例えば要求）を生成する。
【００３５】
次に、ブロック２０６に表されるように、指示がアクセスポイント１０２へ送られる。この操作は種々の実施において種々の場合に実行される。例えば、指示は繰り返して（例えば周期的に）、および／または状態に変化がある時はいつも送られる。
【００３６】
指示は直接的な方法または別のノードを介して送られる。例えば、ある場合には、アクセス端末１０８は指示を（通信経路にある任意の他のノードと同様に）ネットワークノード１１０を介してアクセスポイント１０２へ送る。ある場合には、アクセス端末１０８は指示をアクセスポイント１０２へネットワークノード１１０を通じてではなく、アクセスポイント１０４を介して（例えばアクセスポイント１０２および１０４の間の無線通信リンクを介して）送る。ある場合には、アクセス端末１０８は指示をアクセスポイント１０２へ直接（例えばデバイス１０２および１０８間の無線通信リンクを介して）送る。ある場合には、ネットワークノード１１０は生成した指示をアクセスポイント１０２へ適切な通信経路（例えばバックホール）を介して送る。
【００３７】
上述したように、いくつかの実施において、アクセスポイント１０２およびアクセス端末１０８は代替的無線技術（例えばＷｉ−Ｆｉ）を備えている。そのような実施において、アクセス端末１０８がアクセスポイント１０２に十分近いときは、アクセス端末１０８は指示をアクセスポイント１０２へこの代替的無線技術を用いて送る。
【００３８】
ブロック２０８で表されるように、アクセスポイント１０２は、受信した指示に基づいてその送信（例えば送信機３１２による送信）を制御する。いくつかの態様において、これは１つ以上のチャネルでの送信を動作可能または動作不能にすることを含む。そのようなチャネルは、例えばオーバヘッドチャネル、ページングチャネル、捕捉チャネル、または他の適切なチャネルの１つ以上を含む。ある場合には、アクセスポイント１０２は、送信が動作不能である（例えば受信機３１４が動作中のままである）間、信号を受信することを選択する。
【００３９】
上述したように、いくつかの態様において、指示は状態情報または送信電力制御のためのコマンドを含む。前者の場合、アクセスポイント１０２（例えば、状態プロセッサ３２８）は受信した指示を処理し、（例えばアクセスポイント１０２とアクセス端末１０８の相対的近接度に基づいて、またはこれらのデバイスが異なるゾーンもしくはセルにあるかに基づいて、またはその他に基づいて）それの送信を動作可能または動作不能にするかを決定する。次に、状態プロセッサ３２８は、送信制御器３３２と協働して送信を制御する。指示がコマンドを含む場合、送信制御器３３２は受信した指示に基づいて単に送信を制御する。
【００４０】
アクセスポイント１０２およびアクセス端末１０８が代替的無線技術を備えている実施において、アクセスポイント１０２はその代替的無線技術を介してアクセス端末１０８から信号を受信する。したがって、アクセスポイント１０２はこれらの信号の受信に基づいてアクセス端末１０８の状態（例えば位置、動作状態等）を決定する。
【００４１】
いくつかの実施において、アクセスポイント１０２は、例えばアクセス端末の電子シリアル番号もしくは国際移動体装置識別番号（international mobile subscriber identity）、過負荷クラスパラメータ（overload class parameter）、またはアクセス端末に関係する他のパラメータのような構成パラメータでプログラムされる。これらのパラメータを用いて、アクセスポイント１０２は登録のようなアクセス端末の送信継続期間を予測する。その結果、アクセスポイント１０２は特定のアクセス端末からの送信に対してモニタの役を果たす。そのような送信信号を検出すると、アクセスポイント１０２はアクセス端末の近接度を、例えばアクセス端末送信信号の受信電力レベルに基づいて推定する。
【００４２】
いくつかの態様において、送信電力を制御するための判定は１つ以上のノードの状態に基づく。例えば、１つ以上のアクセス端末がアクセスポイント１０２にアクセスすることが許可される場合、アクセスポイント１０２による送信は、これらのすべてのアクセス端末の状態が、これらのアクセス端末のいずれもアクセスポイント１０２と交信することにならないことを示す場合にのみ、動作不能にされる。逆に、アクセスポイント１０２による送信は、これらのアクセス端末のいずれか１つの状態がこれらのアクセス端末の少なくとも１つがアクセスポイント１０２と交信することになることを示す場合、動作可能にされる。このように、あるノード（例えばアクセスポイント１０２またはネットワークノード１１０）は、複数のアクセス端末に関係する指示（例えば状態情報、送信制御コマンド、カバレッジ領域内のアクセス端末の数の合計など）を受信し、その受信した指示（例えばこれらの指示の集合）に基づいてアクセスポイント１０２における送信電力をいかに制御するかを決定する。
【００４３】
ここで、図４を参照して、アクセス端末の位置に関係する情報がアクセスポイントによる送信を動作可能または動作不能にするかを決定するために用いるシステムの場合について、代表的操作を説明する。いくつかの態様において、この位置情報はアクセス端末が近い将来にアクセスポイントと交信することになるかどうかを決定するために用いられる。例えば、そのような情報はアクセス端末が（例えばアクセス端末とアクセスポイントの相対的近接度に基づいて）アクセスポイントのカバレッジ領域内にあるかどうかを決定するために用いられる。ある場合には、これはアクセス端末とアクセスポイントとの間の実際の距離を決定することを含む。ある場合には、これは位置関連情報に基づいてこれらのデバイスの相対的近接度を推定することを含む。
【００４４】
従って、図４のブロック４０２で表されるように、種々の時点で、ノード（例えばアクセス端末１０８またはネットワークノード１１０）はアクセス端末１０８の位置に関する情報を提供する。そのような情報は種々の形式を取りうる。さらに、１つ以上の形式の位置関連情報はアクセスポイント１０２における送信を制御する時に用いるために提供される。
【００４５】
ある場合には、この情報は、アクセス端末１０８の地理的位置に関係するかまたはそれを含む。この目的のために、アクセス端末１０８（例えば状態プロセッサ３３０）またはネットワークノード１１０（例えば状態プロセッサ３２６）は、アクセス端末１０８の位置を決定または推定することができる位置決定機能を含む。
【００４６】
ある場合には、位置情報は、アクセス端末１０８が登録したセルまたはゾーンに関係するかまたはそれを含む。ここでは、アクセス端末１０８（例えば状態プロセッサ３３０）は、例えば状態情報３３６からの情報を検索することによって、セルまたはゾーンを決定する。同様に、ネットワークノード１１０（例えば状態プロセッサ３２６）は、例えばアクセス端末１０８からの情報を受信することによって、またはアクセス端末１０８が登録した場所を追跡し続けることによって、セルまたはゾーンを決定する。例えば、ネットワークノード１１０はアクセス端末１０８から登録メッセージを受信すると、そのアクセス端末の登録位置を決定する。
【００４７】
ある場合には、位置情報は、アクセス端末１０８によって生成される信号に関係するかまたはそれを含む。例えば、アクセスポイント１０２は、アクセスポイント１０２がアクセス端末１０８から受信するＲＦ信号に基づいて（例えばアクセス端末１０８からきているとして識別される信号の受信信号強度に基づいて）、そのアクセス端末１０８が近くにあることを決定する。特定の例として、アクセスポイント１０２における受信信号強度が閾値以上である場合、アクセス端末１０８がアクセスポイント１０２のカバレッジ領域内にあると見なされる。
【００４８】
ある場合には、位置情報は、アクセス端末１０８によって受信された信号に関係するかまたはそれを含む。例えば、アクセス端末１０８はそれが他のデバイス（例えば、隣接アクセスポイント）から受信する信号に関する指示を生成する。ここでは、アクセス端末１０８の位置はどの（複数の）アクセスポイントがアクセス端末１０８によって「検知される（heard by）」かに基づき、および（複数の）アクセスポイントからの信号の受信信号強度に基づき、および（複数の）アクセスポイントの既知の（複数の）位置に基づき決定される。
【００４９】
アクセスポイント１０２およびアクセス端末１０８が代替的無線技術を備えている実施において、アクセス端末１０８はこの代替的無線技術を用いて（例えばＷｉ−Ｆｉ探索を介して）アクセスポイント１０２の位置を決定する。このように、アクセス端末１０８はアクセスポイント１０２からの信号の受信に基づく位置情報を提供する。
【００５０】
ブロック４０４で表されるように、ブロック４０２で提供された情報またはその情報に基づくコマンドはアクセスポイント１０２へ送られる。また、この情報は上述したように種々の場合に提供される。
【００５１】
ある場合には、アクセス端末１０８および／またはネットワークノード１１０は提供された情報をアクセスポイント１０２へ単に転送し、その結果、アクセスポイント１０２がその情報に基づいて送信を動作可能にするか動作不能にするかを決定する。例えば、アクセス端末１０８はそれが提供する情報（例えば位置座標、現在のセルまたはゾーンなど）を直接アクセスポイント１０２へ（例えば送信機３１６を介して）送るか、またはその情報をアクセスポイント１０２へネットワークノード１１０を介して送る。代替的に、ネットワークノード１１０はそれが提供する情報（例えば位置座標、現在のセルまたはゾーンなど）を直接アクセスポイント１０２へ（例えばバックホールを介して）送る。
【００５２】
ある場合には、アクセス端末１０８またはネットワークノード１１０は、位置関連情報を処理し、その情報に基づいて、アクセスポイント１０２による送信を動作可能にするか動作不能にするかを決定する。この決定に基づいて、アクセス端末１０８またはネットワークノード１１０は送信を動作可能または動作不能にするコマンドをアクセスポイント１０２へ送る。そのような位置ベースの決定は種々の方法で実施されうる。
【００５３】
ある場合には、アクセス端末１０８またはネットワークノード１１０は、アクセス端末１０８の現在の地理的な位置を決定し、これをアクセスポイント１０２の既知の位置（例えば、地理的な位置）と比較する。アクセスポイント１０２の位置は、例えば状態情報３３４または３３６に保持される。そのような情報は、例えばＧＰＳ座標、住所、アクセスポイント１０２の位置と重なるカバレッジ領域を有するマクロセルの識別番号、その他のような種々の形式を取りうる。
【００５４】
アクセス端末１０８の位置を決定するために、アクセス端末１０８（例えば状態プロセッサ３３０）は、受信したＧＰＳ信号に基づいて位置を決定するＧＰＳ受信機、ネットワーク内の複数の他のノード（例えば複数のアクセスポイント）から受信した信号に基づいて位置を決定する三角測量または三辺測量（例えば高度順方向リンク三辺測量）処理部品、または他の適切な位置決定部品を含む。同様に、ネットワークノード１１０（例えば状態プロセッサ３２６）は、アクセス端末１０８の位置を決定するための（例えば三辺測量または他の方式を実施する）位置決定部品を含むか、またはアクセス端末から位置情報を受信する。
【００５５】
ある場合には、ノード（例えば、アクセス端末１０８またはネットワークノード１１０）はアクセス端末１０８に関係づけられた現在のセルまたはゾーンに基づいて、アクセス端末１０８の位置を推定する。例えば、アクセス端末１０８はそれが現在登録されているゾーンまたはセルを常に知っている。さらに、ネットワークノード１１０は、アクセス端末１０８が登録したところに基づいて、またはネットワークノード１１０が実行したゾーンもしくはセル割当に基づいて、またはそのような割当に関してネットワーク１１０が受信した情報に基づいて、アクセス端末１０８のゾーンまたはセルを決定する。以下で検討するように、このセルまたはゾーン情報は、アクセスポイント１０２に関係づけられたセルまたはゾーンと後で比較され、アクセス端末１０８とアクセスポイント１０２の相対的近接度を決定する。
【００５６】
ある場合には、ノード（例えば、アクセス端末１０８またはネットワークノード１１０）はアクセス端末１０８に関係づけられた現在のセルまたはゾーンに基づいて、アクセス端末１０８の実際の物理的位置を推定する。ここでは、そのノードは識別されたゾーンまたはセルのカバレッジ領域に関係づけられた地域を決定する。次に、そのノードは、この情報をアクセスポイント１０２の既知の地理的位置と比較し、アクセス端末１０８とアクセスポイント１０２の相対的近接度を決定する。
【００５７】
ある場合には、ノード（例えば、アクセス端末１０８またはネットワークノード１１０）はアクセス端末１０８によって提供される測定報告に基づいて、アクセス端末１０８の位置を推定する。ここでは、この測定報告は、例えば隣接アクセスポイントおよびこれらのアクセスポイントの各々からの受信信号強度（例えばパイロット強度の報告）を識別する。次に、このノードは（例えば状態情報３３４または３３６に保持されているような）隣接アクセスポイントの既知の位置に基づいてアクセス端末１０８の位置を決定する。次に、この位置情報をアクセスポイント１０２の既知の地理的位置と比較し、アクセス端末１０８とアクセスポイント１０２の相対的近接度を決定する。
【００５８】
ある場合には、アクセスポイント１０２（例えば状態プロセッサ３２８）は、それが受信する位置関連情報に基づいて、その送信を動作可能または動作不能とするかを決定する。例えば、アクセスポイント１０２が地理的位置情報、セルまたはゾーン情報、測定報告、または他の位置情報を受信する場合において、アクセスポイント１０２は上述した計算と同様の計算を実行し、アクセス端末１０８とアクセスポイント１０２との相対的近接度を決定する。また、アクセスポイント１０２がアクセス端末１０８からＲＦ信号を直接受信する場合において、アクセスポイント１０２はこれらのＲＦ信号を処理し、アクセス端末１０８の位置を決定（例えば推定）する。例えば、アクセスポイント１０２はアクセス端末１０８の既知の送信電力とアクセスポイント１０２がアクセス端末１０８から受信する信号の信号強度とに基づいて位置を決定する。
【００５９】
ブロック４０６で表されるように、１つ以上のチャネルでのアクセスポイント１０２による送信は受信した位置関連情報に基づいて制御される。したがって、例えばアクセスポイント１０２とアクセス端末１０８の間の相対的近接度が閾値距離より小さい（より大きい）場合、送信は動作可能（動作不能）とされる。ここでは、この決定のための相対的近接度は、実際の距離測定または推定値の形式、セルまたはゾーンの相対的位置、受信信号強度、または他の適切な形式を取る。ある場合には、送信は、アクセス端末１０８がアクセスポイント１０２のカバレッジ領域内にあるかどうかに基づいて、動作可能または動作不能にされる。ある場合には、送信は、アクセス端末１０８がアクセスポイント１０２の位置と重なるマクロアクセスポイントのカバレッジ領域内にあるかどうかに基づいて、動作可能または動作不能にされる。
【００６０】
上で検討したように、状態ベースの送信制御関連の操作はシステム内の種々のノードによって実行される。図５乃至図９と連携して、そのような分散処理のいくつかの例をさらに詳細に説明する。これらの操作は、ここに検討されるような１つ以上の形式の状態情報に適用可能であることが認識されるべきである。例えば、ある場合には、アクセス端末１０８はその位置、それが電源投入されているか電源切断されているか、その動作周波数、またはそれが登録されているかどうか、を決定する。さらにまたは代替的に、ある場合には、ネットワークノード１１０がこの情報を決定する。
【００６１】
図５に、ネットワークノード１１０が、ネットワークノード１１０によって取得された情報に基づいて送信を動作可能にするかまたは動作不能にするかを決定する一実施を例示する。
【００６２】
ブロック５０２で表されるように、ネットワークノード１１０は、１つ以上のアクセス端末の状態に関する情報を受信する。上述したように、この情報は各アクセス端末によって送られた状態情報またはネットワークノード１１０が各アクセス端末の状態を決定するために用いる他の情報を含む。ある場合には、この情報はアクセス端末からの登録メッセージの形で受信される。
【００６３】
ブロック５０４で表されるように、ネットワークノード１１０は、任意選択的に受信情報を処理する。例えば、上で検討したように、ネットワークノード１１０は受信した情報（例えばアクセス端末からの測定報告、他のノードからの位置情報、アクセス端末または他のノードからのセルまたはゾーン情報など）に基づいてアクセス端末の状態（例えば位置、登録状態など）を決定する。
【００６４】
さらに、上述のように、他の場合には、ネットワークノード１１０は受信情報を処理せず、その代わり、単に情報をそのまま用いる。このシナリオの例は、受信情報が、アクセス端末の実際の位置、アクセス端末が電源を投入されているかまたは電源を切断されるか、アクセス端末が登録されているかどうか、アクセス端末が現在使用中のキャリア周波数などを含む場合を含む。
【００６５】
ブロック５０６で表されるように、ネットワークノード１１０は、受信情報に基づいてアクセスポイント１０２による送信を動作可能にするかまたは動作不能にするかを決定する。例えば、状態プロセッサ３２６は、ブロック２０２で前に説明した１つ以上の基準に基づいて送信を動作可能にするかまたは動作不能にするかを選択する。
【００６６】
ブロック５０６の判定は、上述したように、アクセスポイント１０２へアクセスすることが許可された１つ以上のアクセス端末から受信した状態情報に基づく。ここでは、ネットワークノード１１０は、アクセスポイント１０２へアクセスすることが許可された各アクセス端末の状態に基づいて別々の判定をする。または、ネットワークノード１１０は、１つ以上のこれらのアクセス端末の状態に基づいて１つの判定（例えば統合判定）をする。後者のシナリオの一例として、上で検討したように、送信を動作不能にする判定は全アクセス端末の状態に基づく。また、送信を動作可能にする判定は所与の時点で、ただ１つのアクセス端末の状態に基づく。
【００６７】
ブロック５０８で表されるように、ネットワークノード１１０はブロック５０６における決定に基づいてアクセスポイントへコマンドを送る。例えば、そのコマンドは送信を動作不能にするかまたは送信を動作可能にするかという明示的要求を含む。ここでは、ネットワークノード１１０は、アクセスポイント１０２へアクセスすることが許可された各アクセス端末の状態に基づいて別々のメッセージを生成する。または、ネットワークノード１１０は１つ以上の許可されたアクセス端末の状態に基づいて１つのメッセージ（例えば統合メッセージ）を生成する。
【００６８】
ブロック５１０で表されるように、アクセスポイント１０２（例えば、送信制御器３３２）は、受信した１つのまたは複数のコマンドに基づいて送信を動作可能にするかまたは動作不能にする。（例えば、複数の許可されたアクセス端末の状態に基づいて）複数のコマンドが受信される場合、アクセスポイント１０２は１つ以上のこれらのコマンドに基づいて送信制御の最終的判定をする。例えば、送信を動作不能にするという判定は、許可されたアクセス端末の各々について送信を動作不能にするコマンドが受信されたかどうかに基づく。
【００６９】
送信制御器３３２は１つ以上の送信機３１２または全体の送受信機３０４を制御する。例えば、送信制御器３３２は、送信機３１２を動作不能にするか、送信機３１２を低電力状態に構成するか、送信機３１２へのクロック信号を動作不能にするか、または送信を妨げる他の操作を実行する。
【００７０】
図６にネットワークノード１１０が状態情報をアクセスポイント１０２へ送る一実施を例示する。この場合、アクセスポイント１０２は、この情報に基づいて送信を動作可能にするかまたは動作不能にするかを決定する。
【００７１】
ブロック６０２で表されるように、ネットワークノード１１０は、１つ以上のアクセス端末の状態に関する情報を決定する。上述したように、これはネットワークノード１１０における情報の生成、または１つ以上のアクセス端末から情報を受信することを含む。
【００７２】
ブロック６０４で表されるように、ネットワークノード１１０は、この情報をアクセスポイント１０２へ送る。上述したようにこれは繰り返し（例えば周期的）ベースでおよび／または状態に変化があるときはいつも行われる。
【００７３】
ブロック６０６で表されるように、アクセスポイント１０２は、受信情報に基いて送信を動作可能にするかまたは動作不能にするかを決定する。これらの操作は、例えばブロック５０６および５１０で前に説明した操作ならびに本開示の他の場所で説明したと同様な操作を含む。例えば、アクセスポイント１０２は、アクセス端末１０８とアクセスポイント１０２との相対的近接度を決定し、またアクセス端末が電源を投入されたかまたは電源を切断されことになるか等を決定する。
【００７４】
図７に、アクセスポイント１０２へアクセスすることが許可された各アクセス端末（例えばアクセス端末１０８）が状態情報をアクセスポイント１０２へ送る一実施を例示する。したがって、このアクセスポイントは、この情報に基づいて送信を動作可能にするかまたは動作不能にするかを決定する。
【００７５】
ブロック７０２で表されるように、各アクセス端末はそれ自身の状態を表す情報を提供する。これは、例えばブロック２０２および４０２で前に説明した操作ならびに本開示の他の場所で説明したと同様な操作を含む。
【００７６】
ブロック７０４で表されるように、各アクセス端末はこの情報をアクセスポイント１０２へ送る。上述したように、アクセス端末はこの情報を直接アクセスポイントに送るか、または別のノード（例えばネットワークノード１１０または別のアクセスポイント１０４）を介して送る。
【００７７】
ブロック７０６で表されるように、アクセスポイント１０２は、受信情報に基づいて送信を動作可能にするかまたは動作不能にするかを決定する。また、これは上述した操作と同様の操作を含む。
【００７８】
図８に、アクセスポイント１０２へアクセスすることが許可された各アクセス端末（例えばアクセス端末１０８）がアクセスポイント１０２における送信を動作可能にするかまたは動作不能にするかを決定する一実施を例示する。ここでは、各アクセス端末はそれ自身の状態情報に基づいてそれ自身の決定をする。
【００７９】
従って、ブロック８０２で表されるように、各アクセス端末はその状態を決定する。これは、例えばブロック２０２および４０２で前に説明した操作ならびに本開示の他の場所で説明したと同様な操作を含む。
【００８０】
ブロック８０４で表されるように、各アクセス端末は状態情報に基づいてアクセスポイント１０２による送信を動作可能にするかまたは動作不能にするかを決定する。例えば、アクセス端末１０８の状態プロセッサ３３０は、ブロック２０２で前に説明した１つ以上の基準に基づいて送信を動作可能にするかまたは動作不能にするかを選択する。
【００８１】
ブロック８０６で表されるように、各アクセス端末はブロック８０４の決定に基づいてアクセスポイントへコマンドを送る。このように、このコマンドは送信を動作不能にするかまたは送信を動作可能にする明示的要求を含む。
【００８２】
ブロック８０８で表されるように、アクセスポイント１０２はそれが（複数の）アクセス端末から受信する１つのまたは複数のコマンドに基づいて送信を動作可能にするかまたは動作不能にする。複数のコマンドが複数のアクセス端末から受信される場合、アクセスポイントは１つ以上のこれらのコマンドに基づいて送信制御の最終的判定をする。例えば、送信を動作不能にするという判定は、許可されたアクセス端末の各々から送信を動作不能にするコマンドが受信されたかどうかに基づく。
【００８３】
図９に、アクセスポイント１０２が、それがメッセージに対する応答を受信するかどうかに基づいて送信を動作可能にするかまたは動作不能にするかを決定する一例を例示する。
【００８４】
ブロック９０２で表されるように、アクセスポイント１０２は、隣接ノードによって受信されるメッセージを送信する。例えば、通信制御器３２２は指定されたチャネルで呼び出し（page）を放送する。ある場合には、そのような呼び出しは特定の１つのまたは複数のノードへ送られる。一方他の場合には、その呼び出し、例えば放送呼び出しは特定の１つまたは複数のノードへ送られない。
【００８５】
ブロック９０４で表されるように、アクセスポイント１０２はメッセージへの応答に対してモニタの役を果たす。例えば、アクセスポイント１０２へアクセスすることが許可されたアクセス端末（例えば、アクセス端末１０８）が、呼び出したアクセスポイント１０２に十分近く、呼び出しを受信できる場合、アクセス端末は呼び出しに応答する。
【００８６】
ブロック９０６で表されるように、アクセスポイント１０２は、応答が受信されるかどうかに基づいて送信を動作可能にするかまたは動作不能にするかを決定する。例えば、応答が受信されない場合、アクセスポイント１０２は、動作中の許可されたアクセス端末が近くにないと決定する（例えば、それによって、アクセス端末の状態を決定する）。この場合、アクセスポイント１０２は、指定された１つのまたは複数のチャネルでの送信を動作不能にする。逆に、応答が受信される場合、アクセスポイント１０２は指定されたチャネルで送信を続ける。
【００８７】
ここで図１０を参照して、アクセスポイント１０２が送信を動作可能にする場合において、アクセスポイント１０２は１つのアクセス端末（例えばアクセス端末１０８）に対するハンドイン操作の実行を容易にするような方法で通知信号を生成する。ここでは、ブロック１００２において、１つ以上のチャネルでの送信は、１つ以上の許可されたアクセス端末がアクセスポイント１０２と交信するかもしれないという指示に基づいて、動作可能にされる。
【００８８】
ブロック１００４で表されるように、アクセスポイント１０２は指定のキャリア周波数で指定のビーコン間隔でビーコンを送信する。ここでは、キャリア周波数および／またはビーコン間隔はマクロアクセスポイントで用いられるキャリア周波数および／またはビーコン間隔と異なるように指定される。例えば、制約付アクセスポイントによって用いられるビーコン間隔は、マクロアクセスポイントによって用いられるビーコン間隔の４倍の長さである。このような方法で、アクセス端末はマクロアクセスポイントと制約付アクセスポイント（例えばフェムトセル）とからの信号を容易に区別する。アクセスポイント１０２からビーコンを受信すると、アクセス端末はそのアクセスポイント１０２を動作中のセットに追加する。
【００８９】
ある場合には、アクセス端末はそのアクセス端末の位置に基づいてアクセスポイント１０２を動作中のセットへ追加する。例えば、アクセス端末は、ここに検討するように、それ自身とアクセスポイント１０２との相対的近接度を決定する。アクセス端末が、それが（例えばカバレッジ領域内の）アクセスポイント１０２に比較的近いと決定する場合、アクセス端末は自動的にアクセスポイント１０２を動作中セットへ追加する。
【００９０】
ブロック１００６で表されるように、適用可能であれば、アクセスポイント１０２はハンドイン操作を実行し、その結果、前に他のアクセスポイント（例えばアクセスポイント１０４）によりサービスされたアクセス端末は今度はアクセスポイント１０２によりサービスされる。
【００９１】
いくつかの態様において、ここの教示はマクロスケールカバレッジ（例えば通常マクロセルネットワークまたはＷＡＮと呼ばれる３Ｇネットワークのような広域セルラネットワーク）およびより小さいスケールのカバレッジ（例えば通常ＬＡＮと呼ばれる住居ベースまたはビルディングベースのネットワーク環境）を含むネットワークに採用される。アクセス端末（「ＡＴ」）がそのようなネットワークの中を動くため、そのアクセス端末はマクロカバレッジを提供するアクセスポイントによってある位置でサービスされ、一方そのアクセス端末はより小さいカバレッジを提供するアクセスポイントによって他の位置でサービスされる。いくつかの態様において、より小さいカバレッジのアクセスポイントは、漸次容量増加、ビルディング内カバレッジ、および（例えばより頑健なユーザエクスペリエンスのための）異なるサービスを提供するために用いられる。ここの検討において、比較的大きな領域にわたるカバレッジを提供するアクセスポイントはマクロノードと呼ばれる。比較的小さい領域（例えば住居）にわたるカバレッジを提供するアクセスポイントはフェムトノードと呼ばれる。マクロ領域より小さく、フェムト領域より大きい領域にわたるカバレッジを提供する（例えば商用ビル内のカバレッジを提供する）アクセスポイントはピコノードと呼ばれる。
【００９２】
マクロノード、フェムトノード、またはピコノードに関係するセルはそれぞれマクロセル、フェムトセル、またはピコセルと呼ばれる。いくつかの実施において、各ノードは１つ以上のセルまたはセクタにさらに関係して（例えば分割されて）いる。
【００９３】
種々の用途において、他の用語がマクロノード、フェムトノード、またはピコノードを参照するために用いられる。例えば、マクロノードはアクセスノード、基地局、アクセスポイント、ｅノードＢ、マクロセルなどとして構成されるかまたはそのように呼ばれる。また、フェムトノードはホームノードＢ、ホームｅノードＢ、アクセスポイント基地局、フェムトセルなどとして構成されるかまたはそのように呼ばれる。
【００９４】
図１１に、多くのユーザをサポートするように構成され、ここの教示を実施する無線通信システム１１００を例示する。システム１１００は複数のセル１１０２、例えばマクロセル１１０２Ａ乃至１１０２Ｇに対して通信を提供する。ここで、各セルは対応するアクセスポイント１１０４（例えばアクセスポイント１１０４Ａ乃至１１０４Ｇ）によってサービスされている。図１１に示すように、アクセス端末１１０６（例えば、アクセス端末１１０６Ａ乃至１１０６Ｌ）は、時間と共にシステム中の種々の位置に分散される。各アクセス端末１１０６は、アクセス端末１１０６が動作中であるかどうか、および例えばソフトハンドオフ中であるかどうかに依存して、１つ以上のアクセスポイント１１０４と所与の時に順方向リンク（「ＦＬ」）でおよび／または逆方向リンク（「ＲＬ」）で交信する。無線通信システム１１００は広い地域にわたりサービスを提供する。例えば、マクロセル１１０２Ａ乃至１１０２Ｇは隣接する数ブロックをカバーする。
【００９５】
図１２に１つ以上のフェムトノードが１つのネットワーク環境内に展開される代表的通信システム１２００を例示する。詳細には、システム１２００は比較的小規模なネットワーク環境に（例えば１つ以上のユーザの住居１２３０に）設置された複数のフェムトノード１２１０（例えば、フェムトノード１２１０Ａおよび１２１０Ｂ）を含む。各フェムトノード１２１０は広域ネットワーク１２４０（例えばインターネット）および（例えばここで検討したような１つ以上のネットワークノードを含む）携帯電話事業者の基幹ネットワーク１２５０と、ＤＳＬルータ、ケーブルモデム、無線リンクまたは他の（図示しない）接続手段を介して接続される。以下で検討されるように、各フェムトノード１２１０は関連アクセス端末１２２０（例えば端末１２２０Ａ）、および任意選択的にエイリアン（alien）アクセス端末１２２０（例えば、アクセス端末１２２０Ｂ）にサービスするように構成される。言い換えれば、フェムトノード１２１０へのアクセスは制約され、それによって、所与のアクセス端末１２２０は１セットの指定された（例えばホーム）（複数の）フェムトノード１２１０によってサービスされるが、いかなる非指定フェムトノード１２１０（例えば隣接のフェムトノード１２１０）によってもサービスされない。
【００９６】
図１３に、いくつかのトラッキング（tracking）領域１３０２（またはルーティング（routing）領域またはロケーション（location）領域）が定義され、その各々はいくつかのマクロカバレッジ領域１３０４を含む、カバレッジマップ１３００の一例を例示する。ここでは、トラッキング領域１３０２Ａ、１３０２Ｂ、および１３０２Ｃに関係するカバレッジ領域は太線で示され、マクロカバレッジ領域１３０４は六角形で表される。またトラッキング領域１３０２はフェムトカバレッジ領域１３０６を含む。この例において、フェムトカバレッジ領域１３０６の各々（例えばフェムトカバレッジ領域１３０６Ｃ）は、マクロカバレッジ領域１３０４（例えばマクロカバレッジ領域１３０４Ｂ）内に表示される。しかし、フェムトカバレッジ領域１３０６が全体としてマクロカバレッジ領域１３０４内あるとは限らないことが認識されるべきである。実際には、多数のフェムトカバレッジ領域１３０６が所与のトラッキング領域１３０２またはマクロカバレッジ領域１３０４によって定義される。また、１つ以上のピコカバレッジ領域（図示しない）が所与のトラッキング領域１３０２またはマクロカバレッジ領域１３０４内で定義される。
【００９７】
再び図１２を参照して、フェムトノード１２１０の所有者は、例えば携帯電話事業者の基幹ネットワーク１２５０を通して提供される３Ｇモバイルサービスのようなモバイルサービスに加入する。さらに、アクセス端末１２２０はマクロ環境およびより小規模（例えば住居）のネットワーク環境の双方で動作可能である。言い換えれば、アクセス端末１２２０の現在の位置に依存して、アクセス端末１２２０は、マクロセルモバイルネットワーク１２５０のアクセスポイント１２６０またはフェムトノード１２１０（例えばフェムトノード１２１０Ａおよび１２１０Ｂ、これらは対応するユーザ住居１２３０内にある）のセットの任意の１つによってサービスされる。例えば加入者が自分の家の外にいるとき、その加入者は標準的マクロアクセスポイント（例えばアクセスポイント１２６０）によりサービスされる。また、加入者が家にいるとき、その加入者はフェムトノード（例えばノード１２１０Ａ）によりサービスされる。ここでは、フェムトノード１２２０は既存のアクセス端末１２２０と下位互換性（backward compatible）があることが認識されるべきである。
【００９８】
フェムトノード１２１０は単一周波数で、または代替的に複数周波数で展開される。特定の構成によっては、その単一周波数または１つ以上の複数周波数は、マクロノード（例えばアクセスポイント１２６０）によって用いられる１つ以上の周波数とオーバラップする。
【００９９】
いくつかの態様において、アクセス端末１２２０は好ましいフェムトノード（例えばアクセス端末１２２０のホームフェムトノード）と、接続が可能なときはいつも接続するように構成される。例えば、アクセス端末１２２０がユーザの住居１２３０内にあるときはいつも、アクセス端末１２２０がホームフェムトノード１２１０とだけ交信することが望ましい。
【０１００】
いくつかの態様において、アクセス端末１２２０がマクロセルラネットワーク１２５０内で動作するが、（例えば、好ましいローミングリストで定義されるような）最も好ましいネットワーク内にない場合には、アクセス端末１２２０は、より良いシステム再選択（Better System Reselection（「ＢＳＲ」））を用いて最も好ましいネットワーク（例えば、好ましいフェムトノード１２１０）を探索し続ける。このことは、より良いシステムが現在利用可能かを決定するために利用可能なシステムの周期的走査、およびそのような好ましいシステムに関係づけるためのそれに続く作業を含む。アクセス端末１２２０は捕捉エントリー（acquisition entry）を用いて探索を特定の帯域およびチャネルに限定する。例えば、最も好ましいシステムの探索は周期的に繰り返される。好ましいフェムトノード１２１０を見出したとき、アクセス端末１２２０は、そのカバレッジ領域内に留まるために、そのフェムトノード１２１０を選択する。
【０１０１】
フェムトノードは（例えば検討したように）いくつかの態様において制約されるかもしれない。例えば、所与のフェムトノードは一定のアクセス端末に対して一定のサービスを提供するだけである。いわゆる制約付（または限定）連携の展開において、所与のアクセス端末はマクロセルモバイルネットワークおよびフェムトノード（例えば対応するユーザ住居１２３０内にあるフェムトノード１２１０）の定められたセットによってサービスされるのみである。いくつかの実施において、ノードは、少なくとも１つのノードに通知信号、データアクセス、登録、ページングまたはサービスの少なくとも1つを提供しないように制約される。
【０１０２】
いくつかの態様において、（限定加入者グループホームノードＢ（Closed Subscriber Group Home NodeB）とも呼ばれる）制約付フェムトノードは、アクセス端末の制約付に設定されたセットへサービスを提供するノードである。このセットは必要に応じて一時的または恒久的に拡張される。いくつかの態様において、限定加入者グループ（Closed Subscriber Group（「ＣＳＧ」））はアクセス端末の共通アクセス制御（common access control）リストを共有するアクセスポイント（例えばフェムトノード）のセットとして定義される。ある領域においてすべてのフェムトノード（またはすべての制約付フェムトノード）が動作するチャネルは、フェムトチャネルと呼ばれる。
【０１０３】
したがって、所与のフェムトノードと所与のアクセス端末の間に種々の関係が存在する。例えば、アクセス端末との関係から見ると、オープンフェムトノードは制約付関係を持たないフェムトノードを指す。制約付フェムトノードは、何らかの方法で制約される（例えば連携および／または登録に対して制約される）フェムトノードを指す。ホームフェムトノードは、そこでアクセス端末がアクセスし動作することが許可されるフェムトノードを指す。ゲストフェムトノードは、そこでアクセス端末がアクセスしまたは動作することが一時的に許可されるフェムトノードを指す。エイリアンフェムトノードは、そこでアクセス端末がアクセスしまたは動作することが、緊急状態（例えば、９１１番電話）と思われるときを除き、許可されないフェムトノードを指す。
【０１０４】
制約付フェムトノードとの関連から見ると、ホームアクセス端末はその制約付フェムトノードにアクセスすることを許可されたアクセス端末を指す。ゲストアクセス端末は、制約付フェムトノードへの一時的アクセスを有するアクセス端末を指す。エイリアンアクセス端末は、例えば９１１番電話（例えば、制約付フェムトノードに登録するための資格証明または許可を有していないアクセス端末）のような緊急状態と思われるときを除き制約付フェムトノードへアクセスする許可を有しないアクセス端末を指す。
【０１０５】
便宜上、ここの開示はフェムトノードの文脈で種々の機能を説明する。しかし、ピコノードがより広いカバレッジ領域に対して同じまたは同様の機能を提供することが認識されるべきである。例えば、ピコノードは制約され、ホームピコノードは所与のアクセス端末に対して定義される、等である。
【０１０６】
無線多重接続通信システムは、複数の無線アクセス端末に対して通信を同時にサポートする。上述したように、各端末は１つ以上の基地局と順方向および逆方向リンク上の伝送で交信する。順方向リンク（または、ダウンリンク）は基地局から端末への通信リンクを指し、逆方向リンク（または、アップリンク）は端末から基地局への通信リンクを指す。この通信リンクは単一入力単一出力システム、複数入力複数出力（「ＭＩＭＯ」）システム、または他の形式のシステムを介して確立される。
【０１０７】
ＭＩＭＯシステムはデータ送信に複数（ＮＴ個）の送信アンテナおよび複数（ＮＲ個）の受信アンテナを採用する。ＮＴ個の送信アンテナおよび（ＮＲ）個の受信アンテナで形成されるＭＩＭＯチャネルは、空間チャネルとも呼ばれるＮＳ個の独立したチャネルに分解される。ここでＮＳ≦ｍｉｎ｛ＮＴ，ＮＲ｝である。ＮＳ個の独立したチャネルの各々は次元（dimension）に相当する。ＭＩＭＯシステムは、複数の送信および受信アンテナによって生成される付加的次元数を利用すると、改良された性能（例えばより大きいスループットおよび／またはより高い信頼性）を提供する。
【０１０８】
ＭＩＭＯシステムは時分割複信（「ＴＤＤ」）および周波数分割複信（「ＦＤＤ」）をサポートする。ＴＤＤシステムにおいて、順方向および逆方向リンク伝送は同じ周波数領域にあり、そのため相反定理により逆方向リンクチャネルから順方向リンクチャネルの推定ができる。これは、アクセスポイントで複数のアンテナが利用可能である場合、アクセスポイントが順方向リンクでの送信ビーム成形利得を決定することを可能とする。
【０１０９】
ここの教示は、少なくとも１つの他のノードと交信するための種々の部品を用いるノード（例えばデバイス）に組み込まれる。図１４に、ノード間の通信を容易にするために採用されるいくつかの代表的部品を示す。詳細には、図１４はＭＩＭＯシステム１４００の無線デバイス１４１０（例えばアクセスポイント）および無線デバイス１４５０（例えばアクセス端末）を例示している。デバイス１４１０において、多くのデータストリームのトラヒックデータはデータ源１４１２から送信（「ＴＸ」）データプロセッサ１４１４へ出力される。
【０１１０】
いくつかの態様において、各データストリームはそれぞれの送信アンテナで送信される。ＴＸデータプロセッサ１４１４は、符号化されたデータを出力するために、各データストリームに対して、そのデータストリームのために選択された特定の符号化方式に基づいてトラヒックデータをフォーマットし符号化しおよびインタリービングする。
【０１１１】
各データストリームに対する符号化データはＯＦＤＭ手法を用いてパイロットデータと多重化される。通常、パイロットデータは、既知の方法で処理される既知のデータパターンであり、チャネル応答を推定するために受信機システムで用いられる。次に、各データストリームに対する多重化されたパイロットおよび符号化データは、変調シンボルを出力するためにそのデータストリームのために選択された特定の変調方式（例えばＢＰＳＫ、ＱＳＰＫ、Ｍ−ＰＳＫ、またはＭ−ＱＡＭ）に基づいて変調される（すなわちシンボルマッピングされる）。各データストリームのデータレート、符号化および変調はプロセッサ１４３０によって実行される命令によって決定される。データメモリー１４３２はプロセッサ１４３０またはデバイス１４１０の他の部品によって用いられるプログラムコード、データ、および他の情報を格納する。
【０１１２】
次に、すべてのデータストリームの変調シンボルはＴＸ  ＭＩＭＯプロセッサ１４２０に出力される。このプロセッサは、変調シンボル（例えばＯＦＤＭのために）をさらに処理する。次に、ＴＸ  ＭＩＭＯプロセッサ１４２０はＮＴ個の変調シンボルストリームをＮＴ個の送受信機（「ＸＣＶＲ」）１４２２Ａ乃至１４２２Ｔへ出力する。いくつかの態様において、ＴＸ  ＭＩＭＯプロセッサ１４２０は、ビーム成形用加重値をデータストリームのシンボルおよびシンボルが送信されるアンテナに加える。
【０１１３】
各送受信機１４２２は、それぞれのシンボルストリームを入力し処理し、１つ以上のアナログ信号を出力する。またさらにそのアナログ信号を調整（例えば増幅、フィルタリング、アップコンバージョン）し、ＭＩＭＯチャネルでの送信に適した変調信号を出力する。次に、送受信機１４２２Ａ乃至１４２２ＴからのＮＴ個の変調信号はそれぞれ１４２４Ａ乃至１４２４ＴのＮＴ個のアンテナから送信される。
【０１１４】
デバイス１４５０において、送信された変調信号は１４５２Ａ乃至１４５２ＲのＮＲ個のアンテナで受信され、各アンテナ１４５２からの受信信号はそれぞれ送受信機（「ＸＣＶＲ」）１４５４Ａ乃至１４５４Ｒへ出力される。各送受信機１４５４は、それぞれの受信信号を調整（例えばフィルタリング、増幅、ダウンコンバージョン）し、調整された信号をディジタル化しサンプルを出力し、さらにそのサンプルを処理して対応する「受信」シンボルストリームを出力する。
【０１１５】
次に、受信（「ＲＸ」）データプロセッサ１４６０はＮＴ個の「検出」シンボルストリームを出力するために特定の処理手法に基づいてＮＲ個の送受信機１４５４からのＮＲ個の入力シンボルストリームを処理する。次に、ＲＸデータプロセッサ１４６０は各検出シンボルストリームを復調し、デインタリービングし、および復号し、データストリームに対するトラヒックデータを復元する。ＲＸデータプロセッサ１４６０による処理は、デバイス１４１０においてＴＸ  ＭＩＭＯプロセッサ１４２０およびＴＸデータプロセッサ１４１４で実行された処理とは相補的である。
【０１１６】
プロセッサ１４７０は、周期的にどの予符号マトリクスを用いるかを決定する（以下で検討する）。プロセッサ１４７０は、行列のインデックス部分と階数値の部分を含む逆方向リンクメッセージを形成する。データメモリー１４７２はプロセッサ１４７０またはデバイス１４５０の他の部品によって用いられるプログラムコード、データ、および他の情報を格納する。
【０１１７】
逆方向リンクメッセージは通信リンクおよび／または受信データストリームに関して種々の形式の情報を含みうる。次に、逆方向リンクメッセージは、変調器データ源１４３６からの多くのデータストリームに対するトラヒックデータを入力するＴＸデータプロセッサ１４３８によって処理され、変調器１４８０によって変調され、送受信機１４５４Ａ乃至１４５４Ｒによって調整され、さらにデバイス１４１０へ送り返される。
【０１１８】
デバイス１４１０において、デバイス１４５０からの変調信号がアンテナ１４２４で受信され、送受信機１４２２で調整され、復調器（「ＤＥＭＯＤ」）１４４０で復調され、ＲＸデータプロセッサ１４４２で処理され、デバイス１４５０で送信された逆方向リンクメッセージを抽出する。次にプロセッサ１４３０は、ビーム成形重みを決定するためにどの予符号マトリクスを用いるかを決定し、次に抽出したメッセージを処理する。
【０１１９】
図１４はまた、通信用部品が、ここで教示されるような状態ベースの送信制御操作を実行する１つ以上の部品を含むことを例示している。例えば、送信制御部品１４９０は、ここで教示するように別のデバイス（例えばデバイス１４５０）へ／から、信号を送る／受けるために、プロセッサ１４３０および／またはデバイス１４１０の他の部品と協働する。同様に、例えば、送信制御部品１４９２は、別のデバイス（例えばデバイス１４１０）へ／から、信号を送る／受けるために、プロセッサ１４７０および／またはデバイス１４５０の他の部品と協働する。各デバイス１４１０および１４５０において、説明した２つ以上の部品の機能は単一の部品で提供されても良いことが認識されるべきである。例えば、単一の処理部品が送信制御部品１４９０およびプロセッサ１４３０の機能を提供しても良いし、単一の処理部品が送信制御部品１４９２およびプロセッサ１４７０の機能を提供しても良い。
【０１２０】
ここの教示は、種々の形式の通信システムおよび／またはシステム構成要素に組み込まれうる。いくつかの態様において、ここの教示は、利用可能なシステム資源を共有することによって（例えば帯域幅、送信電力、符号化、インタリービング、その他の１つ以上を指定することによって）、複数のユーザとの交信をサポートすることが可能な多重接続システムに用いられる。例えば、ここの教示は以下の技術のいずれか１つまたは組合せに適用される。符号分割多重接続方式（「ＣＤＭＡ」）システム、マルチキャリアＣＤＭＡ（「ＭＣＣＤＭＡ」）、広帯域ＣＤＭＡ（「Ｗ−ＣＤＭＡ」）、高速パケットアクセス（「ＨＳＰＡ」、「ＨＳＰＡ＋」）システム、時分割多重接続（「ＴＤＭＡ」）システム、周波数分割多重接続（「ＦＤＭＡ」）システム、シングルキャリアＦＤＭＡ（「ＳＣ−ＦＤＭＡ」）システム、直交周波数分割多重接続（「ＯＦＤＭＡ」）システム、または他の多重接続技術。ここの教示を用いる無線通信システムは、ＩＳ−９５、ｃｄｍａ２０００、ＩＳ−８５６、Ｗ−ＣＤＭＡ、ＴＤＳＣＤＭＡ、および他の標準のような、１つ以上の標準を実施するように設計されうる。ＣＤＭＡシステムはユニバーサル地上無線アクセス（「ＵＴＲＡ」）、ｃｄｍａ２０００または他の技術のような無線技術を実施しうる。ＵＴＲＡはＷ−ＣＤＭＡおよび低チップレート（「ＬＣＲ」）を含む。ｃｄｍａ２０００技術は、ＩＳ−２０００，ＩＳ−９５およびＩＳ−８５６標準をカバーする。ＴＤＭＡネットワークは広域自動車通信システム（「ＧＳＭ」）のような無線技術を実施しうる。ＯＦＤＭＡネットワークは発展型ＵＴＲＡ（「Ｅ−ＵＴＲＡ」）、ＩＥＥＥ８０２．１１、ＩＥＥＥ８０２．１６、ＩＥＥＥ８０２．２０、フラッシュ−ＯＦＤＭ（Ｒ）などのような無線技術を実施するかもしれない。ＵＴＲＡ、Ｅ−ＵＴＲＡ、およびＧＳＭはユニバーサル移動通信システム（「ＵＭＴＳ」）の部分である。ここの教示は３ＧＰＰ長期発展（「ＬＴＥ」）システム、ウルトラモバイルブロードバンド（「ＵＭＢ」）システム、および他の形式のシステムで実施されうる。ＬＴＥは、Ｅ−ＵＴＲＡを用いるＵＭＴＳの公開版である。本開示のある態様を３ＧＰＰ用語を用いて説明したが、ここの教示が３ＧＰＰ２（１ｘＲＴＴ、１ｘＥＶ−ＤＯ  ＲｅｌＯ、ＲｅｖＡ、ＲｅｖＢ）技術および他の技術と同様に３ＧＰＰ（Ｒｅｌ９９、Ｒｅｌ５、Ｒｅｌ６、Ｒｅｌ７）技術に適用されるかもしれないことが理解されるべきである。
【０１２１】
ここの教示は種々の装置（例えばノード）に組み込まれうる（例えば装置内で実施されるまたは装置によって実行される）。いくつかの態様において、ここの教示に従って実施されるノード（例えば無線ノード）は、アクセスポイントまたはアクセス端末を含む。
【０１２２】
例えば、アクセス端末はユーザ機器、加入者局、移動局、モバイル、モバイルノード、リモート局、リモート端末、ユーザ端末、ユーザエージェント、ユーザデバイス、または他の用語を含み、それらとして実施され、またはそれらとして知られる。いくつかの実施において、アクセス端末は携帯電話、コードレス電話、セッション確立プロトコル（「ＳＩＰ」）電話、無線ローカルループ（「ＷＬＬ」）局、携帯用情報端末（「ＰＤＡ」）、無線接続能力を有するハンドヘルド機器、または無線モデムに接続された他のプロセスデバイスを含む。従って、ここに教示された１つ以上の態様は、電話（例えば携帯電話またはスマートフォン）、コンピュータ（例えばラップトップ）、携帯通信デバイス、携帯用計算デバイス（例えば携帯用情報端末）、娯楽用デバイス（例えば音楽デバイス、ビデオデバイス、衛星ラジオ）、全地球測位システムデバイス、または無線媒体を介して通信するように構成された任意の他の適切なデバイス、に組み込まれうる。
【０１２３】
アクセスポイントは、ノードＢ、ｅノードＢ、無線ネットワーク制御器（「ＲＮＣ」）、基地局（「ＢＳ」）、無線基地局（「ＲＢＳ」）、基地局制御器（「ＢＴＣ」）、ベーストランシーバ基地局（「ＢＴＳ」）、送受信機機能（「ＴＦ」）、無線送受信機、無線ルータ、基本サービスセット（basic service set（「ＢＳＳ」））、拡張サービスセット（extended service set（「ＥＳＳ」））、または他の類似の用語を含み、それらとして実施され、またはそれらとして知られる。
【０１２４】
いくつかの態様において、ノード（例えばアクセスポイント）は通信システムのためのアクセスノードを含む。そのようなアクセスノードは、ネットワーク（例えばインターネットまたはセルラネットワークのような広域ネットワーク）への有線または無線通信リンクを介して、例えばそのネットワークのためのまたはそのネットワークへの接続性を提供する。従って、アクセスノードは、別のノード（例えば、アクセス端末）がネットワークまたは他の機能にアクセスすることを可能にする。さらに、それらのノードの１つのまたは双方が可搬形、またはある場合にはどちらかといえば可搬形でない（relatively non-portable）ことが認識されるべきである。
【０１２５】
また、無線ノードが、非無線的方法で（例えば有線接続を介して）情報を送信および／または受信できることが認識されるべきである。したがって、ここに検討したように、受信機および送信機は、非無線媒体を介して通信するために、適切な通信インタフェース部品（例えば電気的または光学的インタフェース部品）を含む。
【０１２６】
無線ノードは、適当な無線通信技術に基づくまたはそうでなければそれをサポートする１つ以上の無線通信リンクを介して、通信する。例えば、いくつかの態様において無線ノードはネットワークと連携する。いくつかの態様において、ネットワークはローカルエリアネットワークまたは広域ネットワークを含む。無線デバイスは種々の無線通信技術、プロトコル、またはここに検討したような標準（例えばＣＤＭＡ、ＴＤＭＡ、ＯＦＤＭ、ＯＦＤＭＡ、ＷｉＭＡＸ、ＷｉＦｉその他）の１つ以上をサポートするかそうでなければ用いる。同様に、無線ノードは種々の対応する変調または多重化方式の１つ以上をサポートするかそうでなければ用いる。従って、無線ノードは設定すべき適切な部品（例えば、無線インタフェース）を含み、上記または他の無線通信技術を用いて１つ以上の無線通信リンクを介して通信する。例えば、無線ノードは、関連部品として送信機および受信機部品を備えた無線送受信機を含む。これは無線媒体上の通信を容易にする種々の部品（例えば信号発生器および信号プロセッサ）を含む。
【０１２７】
ここに説明した部品は種々の方法で実施される。図１５乃至図１７を参照して、装置１５００、１６００、および１７００を一連の互いに関係する機能ブロックとして表す。いくつかの態様において、これらのブロックの機能は、１つ以上のプロセッサ部品を含む処理システムとして実施される。いくつかの態様において、これらのブロックの機能は、例えば１つ以上の集積回路（例えばＡＳＩＣ）の少なくとも一部を用いて実施される。ここで検討されるように、集積回路はプロセッサ、ソフトウェア、他の関連する部品、またはそれの組合せを含む。これらのブロックの機能は、ここに教示されるように、他の方法で実施されても良い。いくつかの態様において、図１５乃至図１７の１つ以上の破線のブロックは任意選択的である。
【０１２８】
装置１５００、１６００、および１７００は、種々の図面に関連して上で説明した１つ以上の機能を実行する１つ以上のモジュールを含む。例えば、受信手段１５０２は、例えばここで検討したような通信制御器３２８に相当する。送信決定手段１５０４は、例えばここで検討したような状態プロセッサに相当する。送信手段１５０６は、例えばここで検討したような通信制御器３２８に相当する。通信ハンドイン手段１５０８は、例えばここで検討したような通信制御器３２８に相当する。指示決定手段１６０２は、例えばここで検討したような状態プロセッサ３３６に相当する。送信手段１６０４は、例えばここで検討したような通信制御器３３０に相当する。情報保持手段１６０６は、例えばここで検討したような状態情報部品３２４に相当する。モニタ／受信手段１６０８は、例えばここで検討したような通信制御器３３０に相当する。登録手段１６１０は、例えばここで検討したような通信制御器３３０に相当する。通信ハンドイン手段１６１２は、例えばここで検討したような通信制御器３３０に相当する。状態決定手段１７０２は、例えばここで検討したような状態プロセッサ３３２に相当する。送信手段１７０４は、例えばここで検討したような通信制御器３２６に相当する。
【０１２９】
「第１の」、「第２の」等の表記を用いる要素へのいかなる参照も、これらの要素の量、順序を一般的に限定するものではないことが理解されるべきである。むしろ、ここでは、これらの表記は２つ以上の要素または要素のインスタンス間を区別する便宜的方法として用いられる。したがって、第１のおよび第２の要素への参照は、そこで２つの要素だけが用いられること、または第１の要素が何かの方法で第２の要素の上位になければならないことを意味しない。また、別途明記しなければ、要素のセットは１つ以上の要素を含む。さらに、説明または特許請求項で用いられる「Ａ、ＢまたはＣ、の少なくとも１つ」という形式の用語は、「ＡまたはＢまたはＣまたはそれらの任意の組合せ」を意味する。
【０１３０】
当業者は、情報および信号は種々の異なる技術および手法のいずれかを用いて表されうることを理解するだろう。例えば、上の説明中に参照されるデータ、命令、コマンド、情報、信号、ビット、シンボル、およびチップは、電圧、電流、電磁波、磁場もしくは磁性粒子、光学場もしくは光粒子、またはそれらの任意の組合せで表される。
【０１３１】
当業者は、ここに開示された態様に関連して説明された種々の例示的論理ブロック、モジュール、プロセッサ、手段、回路、およびアルゴリズムのステップが、電子的ハードウェア（例えば、信号源符号化または他の手法を用いて設計されるディジタル実施、アナログ実施、またはこの２つの組合せ）、（ここでは便宜上「ソフトウェア」もしくは「ソフトウェアモジュール」とよぶ）命令を含む種々の形式のプログラムもしくは設計コード、またはその双方の組合せとして実施されることをさらに認識するだろう。ハードウェアとソフトウェアのこの互換性を明確に例示するために、ここまで、種々の例示的部品、ブロック、モジュール、回路、およびステップをそれらの機能の面から一般的に説明してきた。そのような機能がハードウェアまたはソフトウェアとして実施されるかどうかは、全体のシステムに課せられた特定の用途および設計制約に依存する。当業者は、説明した機能を各特定の用途に対して異なる方法で実施するが、そのような実施の決定が本開示の範囲からの逸脱を引き起こすと解釈されるべきではない。
【０１３２】
ここに開示された態様に関して説明した、種々の例示的論理ブロック、モジュール、および回路は、集積回路（「ＩＣ」）、アクセス端末、またはアクセスポイントの中で実施、またはそれらによって実行される。この集積回路は、汎用プロセッサ、ディジタル信号プロセッサ（ＤＳＰ）、特定用途向集積回路（ＡＳＩＣ）、プログラマブルゲートアレイ（ＦＰＧＡ）、もしくは他のプログラム可能論理回路、個別ゲートもしくはトランジスタ論理、個別ハードウェア部品、電子部品、光学部品、機械部品、またはここに説明した機能を実行するように設計されたそれらの任意の組合せを含む。またこの集積回路は、集積回路内、集積回路外、またはその双方にあるコードまたは命令を実行する。汎用プロセッサは、マイクロプロセッサであるが、代替的にはプロセッサは、任意の通常のプロセッサ、制御器、マイクロ制御器または状態機械でも良い。プロセッサはまた、計算デバイスの組合せ、例えばＤＳＰとマイクロプロセッサ、複数のマイクロプロセッサ、ＤＳＰコアと連携した１つ以上のマイクロプロセッサ、または他のそのような構成として実施されても良い。
【０１３３】
いずれの開示された処理におけるステップのいずれの特定の順序または階層も代表的方法の一例であることが理解される。設計の選択に基づいて、処理におけるステップの特定の順序または階層が、本開示の範囲内に留まる限り再編成されても良いことが理解される。付随の方法クレームは、代表的順序で種々のステップの要素を提示し、提示されたその特定の順序または階層に限定されることを意味していない。
【０１３４】
説明した機能はハードウェア、ソフトウェア、ファームウェア、またはそれらの任意の組合せで実施されうる。ソフトウェアで実施される場合、機能は、計算機可読媒体上の１つ以上に命令またはコードとして格納または伝送される。計算機可読媒体は計算機記憶媒体および通信媒体の双方を含む。これらは１つの場所から他の場所への計算機プログラムの引き渡しを容易にする任意の媒体を含む。記憶媒体は、計算機がアクセスできる利用可能な任意の媒体である。限定としてではなく、例として、そのよう計算機可読媒体は、ＲＡＭ、ＲＯＭ、ＥＥＰＲＯＭ、ＣＤ−ＲＯＭもしくは他の光ディスク記憶、磁気ディスク記憶もしくは他の磁気記憶デバイス、または所望のプログラムコードを命令もしくはデータ構造の形式で搬送もしくは格納するために用いられ、かつ計算機がアクセスできる任意の他の媒体を含むことができる。また、いかなる接続も適切に計算機可読媒体と呼ばれる。例えば、ソフトウェアが、ウェブサイト、サーバ、または他のリモートソースから同軸ケーブル、光ファイバーケーブル、撚り線、ディジタル加入者線（ＤＳＬ）、または赤外線、無線およびマイクロ波のような無線技術を用いて伝送される場合、同軸ケーブル、光ファイバーケーブル、撚り線、ディジタル加入者線（ＤＳＬ）、または赤外線、無線およびマイクロ波のような無線技術は媒体の定義に含まれる。ディスク（disk）およびディスク（disc）はここに用いられると、コンパクトディスク（ＣＤ）、レーザーディスク(登録商標)、光ディスク、ディジタル多目的ディスク（ＤＶＤ）、フロッピー（登録商標）ディスクおよびブルーレイディスクを含む。ここでｄｉｓｋは通常、データを磁気的に再生し、ｄｉｓｃはレーザで光学的にデータを再生する。上記の組合せも、計算機可読媒体の範囲内に含まれる。要するに、計算機可読媒体が任意の適当な計算機プログラム製品で実施されることが認識されるべきである。
【０１３５】
上記に鑑みて、いくつかの態様において、第１の通信方法は、第１のノードにおいて第２のノードの状態を示す情報を受信することと、その情報に基づいて第１のノードが少なくとも１つのチャネルで送信することを許可するかどうかを決定することとを含む。さらに、いくつかの態様において、以下の少なくとも１つも第１の通信方法に適用される。すなわち、（１）状態が、第２のノードが第１のノードとの交信を試みるかもしれないかどうかを示す、または（２）状態が、第２のノードが最近電源を投入されたことと、第２のノードが電源を切断されるだろうことと、第２のノードで使用されるキャリア周波数と、第２のノードが登録されているかどうかと、第１のノードの位置とから成るグループの少なくとも１つを示す、または（３）状態が、第２のノードの位置を示す、または（４）情報が、第１と第２のノードの相対的近接度を示す、または（５）情報が、第２のノードが登録されているゾーンもしくはセルを示す、または（６）情報が、第２のノードからの測定報告を含むか、または情報が、第２のノードが第１のノードから信号を受信中であるかどうかを示す、または（７）決定が、第２のノードが第１のノードのカバレッジ領域内にあるかどうかを決定することを含む、または（８）決定が、第２のノードの位置が第１のノードに関係づけられた位置から定められた距離より離れていない場合には、第１のノードが少なくとも１つのチャネルで送信することを許可することを含む、または（９）決定が、第２のノードの位置が第１のノードに関係づけられた位置から定められた距離より大きい場合には、第１のノードが少なくとも１つのチャネルで送信することを許可しないことを含む、または（１０）情報が、第２のノードによって送信された無線信号であって、それによって第１のノードによる無線信号の受信は第１と第２のノードの相対的近接度を示す無線信号を含む、または（１１）決定が、無線信号に関係づけられた受信信号強度に基づく相対的近接度を決定することを含む、または（１２）第２のノードが、第１のノードにアクセスすることが許可され、少なくとも１つの他のノードが、第１のノードにアクセスすることが許可され、かつ決定が、前記少なくとも１つの他のノードの少なくとも１つの状態を示す情報にさらに基づく、または（１３）情報が、ネットワーク移動管理者または第２のノードから受信される、または（１４）方法が、呼び出し信号を送ることをさらに含み、情報はその呼び出し信号への応答を含む、または（１５）呼び出し信号が、第２のノードへ送られる、または（１６）少なくとも１つのチャネルが、第１の形式の無線技術または第１のキャリア周波数に関係づけられ、かつ情報が第２の形式の無線技術または第２のキャリア周波数を介して受信される、または（１７）少なくとも１つのチャネルが、オーバヘッドチャネル、ページングチャネル、および捕捉チャネルから成るグループの少なくとも１つを含む、または（１８）第２のノードが、第３のノードが第１の公称キャリア周波数に関係づけられた第１のキャリアを介してビーコンを送信する場所に第２のノードがあるとき、第３のノードに登録され、かつ方法が、決定に基づいて第２の公称キャリア周波数に関係づけられた第２のキャリアを介してビーコンを送信することと、第２のノードからの少なくとも１つのビーコンへの応答を受信することと、第３のノードから第２のノードに向けて通信ハンドインを実行することとをさらに含む、または（１９）第１のノードが、少なくとも１つの他のノードに対して、通知信号、データアクセス、登録、およびサービスから成るグループの少なくとも1つを提供しないように制約される、または（２０）第１のノードが、フェムトノードもしくはピコノードを含む。
【０１３６】
さらに上記に鑑みて、いくつかの態様において、第２の通信方法は、第１のノードにおいて第１のノードの状態に関連する指示を決定することと、第２のノードが少なくとも１つのチャネルで送信するかどうかを制御するために前記指示を含むメッセージを送ることとを含む。さらに、いくつかの態様において、以下の少なくとも１つも第２の通信方法に適用される。すなわち、（１）状態が、第１のノードが第２のノードとの交信を試みるかもしれないかどうかを示す、または（２）状態が、第１のノードが最近電源を投入されたことと、第１のノードが電源を切断されるだろうことと、第１のノードで使用されるキャリア周波数と、第１のノードが登録されているかどうかと、第１のノードの位置とから成るグループの少なくとも１つを示す、または（３）状態が、第１のノードの位置を示す、または（４）指示が、第１と第２のノードの相対的近接度を示す、または（５）指示が、第２のノードが登録されているゾーンまたはセルを示す、または（６）指示が、第２のノードからの測定報告を含む、または（７）指示が、第１のノードが第２のノードから信号を受信中であるかどうかを示す、または（８）決定が、第１のノードの位置を決定することを含み、かつ指示がその位置を識別する、または（９）方法が、第２のノードの位置を示す情報を保持することをさらに含み、この指示は第２のノードの位置からの第１のノードの位置が定められた距離より大きいかまたは小さいかを示す、または（１０）決定が、第１のノードが第２のノードのカバレッジ領域内にあるかどうかを決定することを含み、かつ指示が第１のノードがそのカバレッジ領域内にあるかどうかを示す、または（１１）方法が、第２のノードからの信号をモニタすることを含み、かつ指示が第１のノードが第２のノードからの信号を受信中であるかどうかを示す、または（１２）決定が、第１のノードの第２のノードへの相対的近接度を決定することを含み、かつメッセージがその相対的近接度に基づいて少なくとも１つのチャネルでの送信を動作可能または動作不能のいずれかにするための第２のノードへの要求を含む、または（１３）メッセージが、登録メッセージを含む、または（１４）メッセージが、ネットワーク移動管理者または第２のノードへ送られ、少なくとも１つのチャネルが、第１の形式の無線技術または第１のキャリア周波数に関係づけられ、かつメッセージが第２の形式の無線技術または第２のキャリア周波数を介して送られる、または（１５）方法が、第２のノードからの信号のモニタするために第２の形式の無線技術または第２のキャリア周波数を用いることをさらに含み、指示はモニタリングに基づいて生成される、または、（１６）少なくとも１つのチャネルが、オーバヘッドチャネル、ページングチャネル、および捕捉チャネルから成るグループの少なくとも１つを含む、または（１７）方法が、ビーコンが第３のノードから第１の公称キャリア周波数に関係づけられた第１のキャリアを介して受信されており、その第３のノードに第１のノードを登録することと、メッセージを送った結果として第２のノードからビーコンを受信することと、ビーコンが第２のノードから第２の公称キャリア周波数に関係づけられた第２のキャリアを介して受信されており、そのビーコンの受信に基づいて第３のノードから第２のノードへ通信ハンドインを実行することとをさらに含む、または（１８）第２のノードが、少なくとも１つの他のノードに対して通知信号、データアクセス、登録、およびサービスから成るグループの少なくとも１つを提供しないように制約される、または（１９）第２のノードが、フェムトノードもしくはピコノードを含む。
【０１３７】
さらに上記に鑑みて、いくつかの態様において、第３の通信方法は、第１のノードにおいて第２のノードの状態を決定することと、その決定に基づいて、第３のノードが少なくとも１つのチャネルで送信するかどうかを制御するためのメッセージを送ることとを含む。さらに、いくつかの態様において、以下の少なくとも１つも第３の通信方法に適用される。すなわち、（１）状態が、第２のノードが第３のノードとの交信を試みるかもしれないかどうかを示す、または（２）状態が、第２のノードが最近電源を投入されたことと、第２のノードが電源を切断されるだろうことと、第２のノードで使用されるキャリア周波数と、第２のノードが登録されているかどうかと、第２のノードの位置とから成るグループの少なくとも１つを示す、または（３）状態が、第２のノードの位置を示す、または（４）状態が、第１のノードと第２のノードの相対的近接度、第２のノードが登録されたゾーンもしくはセル、第２のノードからの測定報告、または第１のノードが第２のノードからの信号を受信中であるかどうかに関係する、または（５）決定が、第３のノードに関係づけられた位置を指示する情報を保持することと、第２のノードの位置を決定することと、第３のノードに関係づけられた位置から第２のノードの位置が定められた距離より大きいかまたは小さいかを決定することとを含む、または（６）第２のノードの位置の決定が、第２のノードからの第２のノードの位置に関連する指示を受信することを含む、または（７）第２のノードの位置の決定が、第２のノードの位置を計算することをさらに含む、または（８）状態が、別のノードに登録する第２のノードに基づいて決定される、または（９）決定が、第２のノードが登録したゾーンまたはセルを決定することをさらに含む、または（１０）決定が、第２のノードから登録メッセージを受信することと、その登録メッセージに基づいて状態を決定することとを含む、または（１１）決定が、第２のノードが第３のノードのカバレッジ領域内にあるかどうかを決定することを含む、または（１２）決定が、第２のノードから状態の指示を受信することを含む、または（１３）メッセージが、少なくとも１つのチャネルでの送信を動作可能または動作不能のいずれかにするための第３のノードへの要求を含む、または（１４）第２のノードが、第３のノードにアクセスすることが許可され、少なくとも１つの他のノードが、第３のノードにアクセスすることが許可され、第１のノードが前記少なくとも１つの他のノードの状態を決定するようにさらに構成され、かつメッセージを送ることが前記少なくとも１つの他のノードの状態にさらに基づく、または（１５）少なくとも１つのチャネルが、オーバヘッドチャネル、ページングチャネル、および捕捉チャネルから成るグループの少なくとも１つを含む、または（１６）第１のノードはネットワーク移動管理者である、または（１７）第３のノードが、少なくとも１つの他のノードに対して通知信号、データアクセス、登録、およびサービスから成るグループの少なくとも１つを提供しないように制約される、または（１８）第１のノードが、フェムトノードもしくはピコノードを含む。
【０１３８】
いくつかの態様において、第１、第２および第３の通信方法の上の態様の１つ以上に対応する機能は、例えばここに教示した構造を用いる装置において実施される。さらに、計算機プログラム製品は、第１、第２および第３の通信方法の上の態様の１つ以上に対応する機能を計算機に提供させるように構成されたコードを含む。
【０１３９】
開示された態様のこれまでの説明は、いかなる当業者も本開示を製造しまたは使用することを可能にするように提供されている。これらの態様への種々の変形は当業者に容易に明らかになるだろう。また、ここに定義した一般的原理は本開示の範囲から逸脱することなく他の態様に適用される。したがって、本開示は、ここに示した態様に限定されることを意図されていず、ここに開示した原理および新規な特徴に矛盾しない最も広い範囲と一致される。
【図１】
0005456679.tif 000002
【図２】
0005456679.tif 000003
【図３】
0005456679.tif 000004
【図４】
0005456679.tif 000005
【図５】
0005456679.tif 000006
【図６】
0005456679.tif 000007
【図７】
0005456679.tif 000008
【図８】
0005456679.tif 000009
【図９】
0005456679.tif 000010
【図１０】
0005456679.tif 000011
【図１１】
0005456679.tif 000012
【図１２】
0005456679.tif 000013
【図１３】
0005456679.tif 000014
【図１４】
0005456679.tif 000015
【図１５】
0005456679.tif 000016
【図１６】
0005456679.tif 000017
【図１７】
0005456679.tif 000018